(57)【要約】［課題］本発明は、銀行券、株券、債券等の有価証券、各種証明書及び重要書類等の偽造防止又は複製防止が必要とされる偽造防止印刷物に関するものである。［解決手段］所定のピッチで第１の方向に配列された第１の画線群と、第１の画線群の非画線部に第２の画線群によって可視画像が形成され、第２の画線群は、一対となる二種類の画線をオンオフの関係により任意に配置することで、第１の不可視画像のネガ及びポジの画像を形成する。また、第１の画線群を印刷物の印刷面から少なくとも２段階以上の所定の高低差を有する画線部によって構成することで、第２の不可視画像を構成する偽造防止印刷物である。
2010038824.tif 000002
【特許請求の範囲】
【請求項１】
所定のピッチで第１の方向に配列された第１の画線群と、前記第１の画線群の非画線部に第２の画線群によって可視画像が形成され、
前記第２の画線群は前記第１の画線群に対して第２の方向に配列され、
前記第２の画線群は、不可視画像のネガ及びポジの領域を形成し、
前記第２の画線群は、前記不可視画像のネガ及びポジ領域のいずれか一方を形成する複数の第２の画線、他方を形成する複数の第３の画線及び濃度の不均衡を緩和する複数の第４の画線を含み、
前記第２の画線の画線面積と前記第３の画像の画線面積が同一又は略同一であり、前記第４の画線は、前記第２の画線の画線面積又は前記第３の画線の画線面積における半分又は略半分の画線面積から成り、
前記第２の画線、前記第３の画線及び前記第４の画線は、規則的に配列された複数の画線ユニット内に形成され、
前記複数の画線ユニットは、第１の画線ユニット、第２の画線ユニット、第３の画線ユニット及び第４の画線ユニットから成り、第１の画線ユニット及び第２の画線ユニットは同一の大きさであり、
前記第３の画線ユニット及び前記第４の画線ユニットは、前記第１の画線ユニット又は前記第２の画線ユニットに対して前記第１の方向の方向に２倍の大きさの画線ユニットから成り、
前記第１の画線ユニットは、前記第２の画線が前記第１の画線ユニットの中心を通るように形成され、前記第２の画線ユニットは、前記第３の画線が前記第２の画線ユニットの中心から等間隔で対向するように前記第２の画線が分割された一対の画線が設けられて形成され、
前記第３の画線ユニットは、前記第２の画線、前記第４の画線及び前記第３の画線の内、前記一対の一方の画線が順次形成され、前記第４の画線ユニットは、前記第３の画線の内、前記一対の他方の画線、前記第４の画線及び前記第２の画線が順次形成され、
前記不可視画像の輪郭を示す少なくとも一部に前記第３の画線ユニット又は前記第４の画線ユニットが形成されたことを特徴とする偽造防止印刷物。
【請求項２】
前記不可視画像の輪郭に形成される前記第３の画線ユニットは、前記第１の方向に沿って第１の画線ユニットの一方の側に配置され、
前記不可視画像の輪郭に形成される前記第４の画線ユニットは、前記第１の方向に沿って第１の画線ユニットの他方の側に配置されることを特徴とする請求項１記載の偽造防止印刷物。
【請求項３】
前記第２の画線、前記第３の画線及び前記第４の画線は前記第２の方向に隣接される前記各画線ユニットに跨って一本の線として形成されることを特徴とする請求項１又は２記載の偽造防止印刷物。
【請求項４】
前記第１の画線ユニット及び前記第２の画線ユニットにおける前記第１の方向の幅の割合を４とし、前記第３の画線ユニット及び前記第４の画線ユニットにおける前記第１の方向の幅の割合を８とした場合に、
前記第１の画線ユニットに形成される前記第２の画線は、前記第１の方向で「２：２」の比の位置である前記第１の画線ユニットの中心に前記第２の画線の中心が一致するように配置され、
前記第２の画線ユニットに形成される前記第３の画線は、前記第１の方向で「４」の比の位置である前記第２の画線ユニットの両側に対向するように一対の画線として前記第３の画線が配置され、
前記第３の画線ユニットに形成される前記第２の画線、前記第４の画線及び前記第３の画線の内、前記一対の一方の画線は、前記第１の方向で「２：３：３」の比の位置に一方の側から前記第２の画線の中心が２の比をもって配置され、前記第４の画線は、前記第２の画線の中心から３の比をもって配置され、前記第３の画線の内、前記一対の一方の画線は、前記第４の画線の中心から３の比をもって配置され、
前記第４の画線ユニットに形成される前記第３の画線の内、前記一対の他方の画線、前記第４の画線及び前記第２の画線は、前記第１の方向で「３：３：２」の比の位置に一方の側から前記第３の画線の内、前記一対の一方の画線が一方の端に配置され、前記第４の画線の中心が３の比をもって配置され、前記第２の画線は、前記第４の画線の中心から３の比をもって配置されることを特徴とする請求項１乃至３項のいずれか１項記載の偽造防止印刷物。
【請求項５】
前記第２の画線、前記第３の画線及び前記第４の画線は、三角形状であることを特徴とする請求項１乃至４記載のいずれか１項記載の偽造防止印刷物。
【請求項６】
中心から放射状に形成された第１の画線群と、前記第１の画線群の非画線部に第２の画線群によって可視画像が形成され、
前記第２の画線群は前記中心から所定のピッチの同心円形状に配列され、
前記第２の画線群は、不可視画像のネガ及びポジの領域を形成し、
前記第２の画線群は、前記不可視画像のネガ及びポジ領域のいずれか一方を形成する複数の第２の画線、他方を形成する複数の第３の画線及び濃度の不均衡を緩和する複数の第４の画線を含み、
前記第２の画線の画線幅と前記第３の画像の画線幅が同一又は略同一であり、前記第４の画線は、前記第２の画線の画線幅又は前記第４の画線の画線幅における半分又は略半分の画線幅からなり、
前記第２の画線、前記第３の画線及び前記第４の画線は、規則的に配列された複数のアーチ形の画線ユニット内に形成され、
前記複数のアーチ型画線ユニットは、第１の画線ユニット、第２の画線ユニット、第３の画線ユニット及び第４の画線ユニットから成り、隣接する第１の画線ユニット及び第２の画線ユニットは同一の大きさであり、
前記第３の画線ユニット及び前記第４の画線ユニットは、隣接する前記第１の画線ユニット及び前記第２の画線ユニットよりも大きく、さらに、前記第１の画線ユニット及び前記第２の画線ユニットに対して前記同心円方向の前記中心方向に伸びた形状の画線ユニットから成り、
前記第１の画線ユニットは、前記第２の画線が前記同心円方向に所定の位置で形成され、前記第２の画線ユニットは、前記第３の画線が前記同心円方向に前記第２の画線が形成された位置に対して半ピッチ又は略半ピッチのずれを有する位置に配置され、
前記第３の画線ユニットは、前記第２の画線、前記第４の画線及び前記第３の画線が順次形成され、前記第４の画線ユニットは、前記第３の画線及び前記第４の画線が順次形成され、
前記不可視画像の輪郭を示す少なくとも一部に前記第３の画線ユニット又は前記第４の画線ユニットが形成されたことを特徴とする偽造防止印刷物。
【請求項７】
前記第１の画線群及び前記第２の画線群が盛りを有する画線で形成されることを特徴とする請求項１乃至６いずれか１項記載の偽造防止印刷物。
【請求項８】
基材の表面上に、それぞれ同一面積を有する第５の画線ユニットと第６の画線ユニットとがマトリックス状に配置されており、
前記第５の画線ユニットは、第１の方向に延在するように配置された第１の画線と、前記第１の画線が存在しない領域の第１の位置に配置された第２の画線とを有し、
前記第６の画線ユニットは、前記第１の方向に延在するように配置された前記第１の画線と、前記第１の画線が存在しない領域の第２の位置に配置された第３の画線とを有し、
前記第１の画線は、前記基材の表面に対して第１の高さを有する第１の画線部と、前記第１の高さとは異なる第２の高さを有する第２の画線部とを有することで、第１の不可視画像を形成し、
前記第５の画線ユニットと前記第６の画線ユニットのいずれか一方が配置された領域が第２の不可視画像の画像部を形成し、他方が配置された領域が前記第２の不可視画像の背景部を形成することを特徴とする偽造防止印刷物。
【請求項９】
前記第１の不可視画像は、前記基材に対して９０度と異なる所定の角度範囲から視認することが可能であり、
前記第２の不可視画像は、複数の前記第５の画線ユニットにおけるそれぞれの前記第１の位置に配置された前記第２の画線を拡大することにより、あるいは複数の前記第２の画線ユニットにおけるそれぞれの前記第２の位置に配置された前記第３の画線を拡大することにより視認することが可能であることを特徴とする請求項８記載の偽造防止印刷物。
【請求項１０】
前記第１の方向に沿って前記第５の画線ユニットの一方の側に前記第６の画線ユニットが配置された場合、濃度の不均衡を緩和するため、前記第５の画線ユニットにおける前記第２の画線又は前記第６の画線ユニットにおける前記第３の画線のいずれか一方の画線を削除し、前記いずれか一方の画線を削除した前記第５の画線ユニット又は前記第６の画線ユニットの略中心の位置に、前記第２の画線及び前記第３の画線の半分又は略半分の画線面積率を有する第４の画線が配置され、
前記第１の方向に沿って前記第５の画線ユニットの他方の側に前記第６の画線ユニットが配置された場合、前記第５の画線ユニット及び前記第６の画線ユニットの境界線を中心とした位置に、前記第４の画線が配置されたことを特徴とする請求項８又は９記載の偽造防止用印刷物。
【請求項１１】
前記第１の画線、前記第２の画線、前記第３の画線及び前記第４の画線は、複数の画線ユニット内に形成され、
前記複数の画線ユニットは、第１の画線ユニット、第２の画線ユニット、第３の画線ユニット及び第４の画線ユニットから成り、
前記第１の画線ユニット及び前記第２の画線ユニットは、同一の大きさであり、前記第３の画線ユニット及び前記第４の画線ユニットは、前記第１の画線ユニット又は前記第２の画線ユニットに対して前記第１の方向に２倍の大きさであり、前記第１の画線ユニットは、前記第２の画線が前記第１の画線ユニットの中心を通るように配置され、
前記第２の画線ユニットは、前記第３の画線が前記第２の画線ユニットにおける中心から等間隔で対向するように前記第２の画線の半分又は略半分の画線面積率を有する前記第３の画線が一対として配置され、
前記第３の画線ユニットは、前記第２の画線、前記第４の画線及び前記第２の画線の半分又は略半分の画線面積率を有する前記第３の画線の順に配列され、
前記第４の画線ユニットは、前記第２の画線の半分又は略半分の画線面積率で配置された前記第３の画線、前記第４の画線及び前記第２の画線の順に配置されたことを特徴とする請求項８乃至１０のいずれか１項記載の偽造防止印刷物。
【請求項１２】
前記第１の方向に沿って前記第１の画線ユニットの一方の側に隣接して配置される画線ユニットは、前記第１の画線ユニット及び前記第３の画線ユニットであり、
前記第１の方向に沿って前記第１の画線ユニットの他方の側に隣接して配置される画線ユニットは、前記第１の画線ユニット及び前記第４の画線ユニットであり、
前記第１の方向に沿って前記第２の画線ユニットの一方の側に隣接して配置される画線ユニットは、前記第２の画線ユニット及び前記第４の画線ユニットであり、
前記第１の方向に沿って前記第２の画線ユニットの他方の側に隣接して配置される画線ユニットは、前記第２の画線ユニット及び前記第３の画線ユニットであることを特徴とする請求項８乃至１１のいずれか１項記載の偽造防止印刷物。
【請求項１３】
前記第２の画線、前記第３の画線及び前記第４の画線は、白空き部によって形成されたことを特徴とする請求項８乃至１２のいずれか１項記載の偽造防止印刷物。
【請求項１４】
前記第１の画線における少なくとも一部の単位長さ当たりの画線面積率を異ならせて配置することにより可視画像が形成されたことを特徴とする請求項８乃至１３のいずれか１項記載の偽造防止印刷物。
【請求項１５】
前記第１の画線における少なくとも一部をレリーフ状に配置することにより可視画像が形成されたことを特徴とする請求項８乃至１４のいずれか１項記載の偽造防止印刷物。
【請求項１６】
前記第２の画線、前記第３の画線及び前記第４の画線は、円形又は多角形によって形成されたことを特徴とする請求項８乃至１５のいずれか１項記載の偽造防止印刷物。
【請求項１７】
前記第２の画線、前記第３の画線及び前記第４の画線は、前記第１の画線と隣接して配置されたことを特徴とする請求項８乃至１６のいずれか１項記載の偽造防止印刷物。
【請求項１８】
前記第２の画線及び前記第３の画線は、前記第１の画線と一体となって配置されたことを特徴とする請求項８乃至１７のいずれか１項記載の偽造防止印刷物。
【発明の詳細な説明】
【技術分野】
【０００１】
本発明は、銀行券、株券、債券等の有価証券、各種証明書及び重要書類等の偽造防止又は複製防止が必要とされる偽造防止印刷物に関するものである。
【背景技術】
【０００２】
印刷物上で図柄の連続階調の表現は、印刷物上の印刷色を点及び線等の微細図形群で図柄を構成し、微細図形の形状及び大きさを図柄の連続階調の濃度に従って制御しているものである。連続階調の表現には、網点等の正多角形配列からなる微細構成素子群で構成するスクリーン連続階調表現と、図柄中のモティーフ（人物、風景、物体、模様等）のアウトラインや模様等を絵画的な点及び細線で構成する線画階調表現方法がある。【０００３】
上述の絵画的な点及び細線で構成する線画階調表現方法は、図柄にあるモティーフを、デッサン的描画手法を用いて図柄の明暗（連続階調）や質感を表現するため、図柄中の点及び細線が交差したり輻輳したりする等、印刷物上で画線形状及び配置が複雑な様相となる。したがって、上述の絵画的な点及び線で構成する線画階調表現方法は、図案的意図を反映させることができる連続階調表現方法である。主な表現方法としては、画線が「線」の場合、画線幅や画線の配置する粗密で図柄の濃度を表現することができる。また、画線が「点」の場合、点の大きさによって図柄の濃度を表現することや、点の粗密によっても図柄の濃度を表現することができる。【０００４】
上述の絵画的な点及び細線で構成する線画階調表現方法の代表的な技術としては、紙幣の凹版印刷画像に見られるような図柄にあるモティーフの階調表現方法として用いられている。例えば、線画階調表現方法によって点及び細線で構成する画線を複雑化した画線を有する印刷物は、画線を複雑に構成することにより、印刷物からの複製を困難にできる。また、市場流通過程における拡大鏡等による観察によって、画線形状が真正なものであるか否かを、一般人が訓練次第で識別できる方法であるため、証券印刷物等金銭的価値を有する印刷物の模様として世界的に用いられていると同時に、古くから現在でも銀行券、株券、債券等の有価証券、各種証明書及び重要書類等（以下「証券類」という。）の印刷物において、線画階調表現方法による模様は、高級感を印象づけるデザインとして欠かすことのできない模様となっている。図１は、一般的な線画階調表現方法の一例を示したものである。線画階調表現方法では、印刷物１上の印刷模様３上に、印刷模様３の部分拡大図（円内）に示される主線４と副線５が存在するが、このうち、階調要素を設けられるのは主線４であることが多い。主線４に設けられる階調要素とは、図柄の濃淡を表現するために、明るさを奏する場合は主線４の画線幅を細く、暗さを奏する場合は主線４の画線幅を太くすることで連続階調を表現している。なお、図１の例では、主線４を水平の万線、副線５を斜め４５度の万線として描いているが、それぞれの万線の角度についてはこの限りではない。【０００５】
こうした証券類の印刷物では、偽造防止効果を与えるために、地紋模様と呼ばれる背景模様に様々な技術が適用されているが、近年、カラー複写機の高画質化及びカラー製版技術のコンピュータ化に伴い、証明書類の偽造技術が多様化する傾向にある。これに伴う証明書類の偽造防止策も、高度化することによって対応してきた。しかし、その一方で、偽造防止策に費やす製造コストも上がり、偽造防止効果を確認する環境を得るために特殊な機械器具から成る専用設備を導入する等、真偽判定にも高コストを要する場合があった。【０００６】
真正物か偽造物であるかを真偽判別するための技術として、銀行券、株券、債券等の有価証券、各種証明書及び重要書類等では、古くから潜像凹版と呼ばれる偽造防止技術がある。この潜像凹版は、凹版インキ等で盛り上がりのある画線を用いることで効果を奏するものである。例えば、図４２の印刷物１１に示されたように、印刷模様１２の背景を成す画線群１３と潜像を成す画線群１４は、９０度の２方向の差異を持った万線状の画線によって配置している。この印刷物１１の印刷面を正面から見て観察した場合、施されている潜像模様「Ｐ」を容易に認識することができないが、図４３に示されたように、斜めから観察すると、例えば、凹版インキのような盛り上がった画線では、画線群１３と隣り合う画線との視角によって重なり合うため、実際の潜像部を成す画線１４よりも低明度（高濃度）となる。これにより、潜像模様「Ｐ」が顕像となって出現する。また、２方向の万線状の画線でなくとも、凹版インキの盛り上がり高さ差異によって１方向の万線で実現することもできる（例えば、特許文献１参照）。この技術の特徴は、別途判別具を用意せずとも簡単に真偽判別することができることである。【０００７】
一方、印刷物上に簡易的な判別具を用いることよって、より顕著な真偽判定を可能にする有用な技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）であったり、レンチキュラーレンズであったりする。この判別具を用いて不可視画像を発現させる技術は、主に二種類の方法があり、点位相変調（Dot phase modulation）と線位相変調（Line phase modulation）とが存在する。【０００８】
このような万線フィルタから成る判別具を重ね合わせることにより、潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認することができる方法が知られている。【０００９】
点位相変調（Dot phａse modulａtion）の一例としては、第１の方向と第２の方向に位相変調されたパターンが形成された印刷物と、当該印刷物の第１の方向と万線状フィルタの万線状パターンの方向とを一致するように、万線状フィルタを重ね合わせることにより形成される第１の多階調画像と、万線状フィルタの重ね合わせる角度を、印刷物の第２の方向に一致するように変えると第２の多階調画像が形成された印刷物及び画像形成法がある（例えば、特許文献２参照）。【００１０】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより、不可視画像と異なる画像が発現する印刷物がある（例えば、特許文献３参照）。【００１１】
また、海外の点位相変調（Dot phase modulation）の一例としては、アストロン・デザイン社（オランダ）のイソグラム（Isogram）がある（例えば、非特許文献１３４０頁参照）。これは、図６０（ａ）に示された印刷物のように、一見して均一な濃度を有する平坦な模様の中に、拡大すると図６０（ｂ）に示されたような微細な網点の位相によって不可視画像が施され、印刷物上に専用のシートを重ねると、図６０（ｃ）又は図６０（ｄ）に示されるようにネガポジ状のどちらかに可視画像化されたものである。しかし、これは、均一な濃度を有する平坦な模様故に、鮮明に画像を発現させることができない。【００１２】
また、本願出願人等は、点位相変調（Dot phase modulation）を用いた印刷物に関する特許出願を行っている。これは、基材上に複数の等色の画素が規則的に配列されて二つの潜像模様が形成された潜像印刷物であって、複数の画素において、第１の方向に位相をずらして配列された第１の領域による第１の潜像模様（不可視画像）と、機能性を有するインキにより印刷された第２の領域による第２の潜像模様（不可視画像）とを有する（例えば、特許文献４参照）。【００１３】
線位相変調（Line phase Modulation）の一例としては、基材上に、線部と非線部を有し、同一ピッチ及び幅から成る万線パターンに対し、万線位相を２分の１ピッチずらして形成された潜像部を備えている複数種の潜像万線パターンが、それぞれ異なる角度で重ね合わされて印刷された潜像を有する印刷物であって、複数種の潜像万線パターンがそれぞれ色違いであることを特徴とする印刷物と、印刷物の万線パターンと同一ピッチのフィルムを、複数種の不可視画像に重ね合わせることにより潜像部を可視画像化されたものがある（例えば、特許文献５参照）。【００１４】
また、海外の線位相変調（Line phase Modulation）を用いた印刷物には、ユラ社（ハンガリー）のＨＩＴ（Hidden Image Technology）がある（非特許文献１３４１頁参照）。図６１（ａ）に示されたように、一見して均一な濃度を有する平坦な模様の中に、拡大すると図６１（ｂ）に示されたような微細な万線の位相によって不可視画像が施され、印刷物上に専用のシートを重ねると、図６１（ｃ）又は図６１（ｄ）に示されるようにネガポジ状のどちらかに可視画像化されている。なお、図６１（ａ）の印刷物では通常視でも不可視画像が確認できてしまうおそれがあるため、図６１（ｂ）に示されたように、カムフラージュ模様として万線の一部の画線幅を変化させて可視画像を設けている。また、白抜き画線によって可視画像を設けても良い。ただし、このカムフラージュ模様は、専用のシートを重ねて不可視画像を可視画像化した際、カムフラージュ模様も可視画像として同時に発現しているので、不可視画像の発現時の視認性を阻害するという問題がある。【００１５】
一般的に、点位相変調（Dot phａse modulａtion）又は線位相変調（Line phａse modulａtion）により形成された模様は、平坦な形状となっている。【００１６】
また、画像形成シート上に、単位ブロック内をｍ列ｎ行に等形上分割した各々最小単位ブロックｂ１、ｂ２、ｂ３、ｂ４、・・・を、それぞれ１単位画素ｇ１、ｇ２、ｇ３、ｇ４、・・・とする各々潜像画像Ｇ１、Ｇ２、Ｇ３、Ｇ４、・・・が形成され、その単位画素ｇ１、ｇ２、ｇ３、ｇ４、・・・は、万線本数１本分以上の万線により構成される万線パターンであって、ピッチｐ１、ｐ２、ｐ３、ｐ４、・・・の各々万線ピッチｐと、角度θ１、θ２、θ３、θ４・・・の各々万線角度θの万線により構成される、異なる各々万線パターンのうち、いずれかの万線パターンにより構成された偽造防止用画像形成体であり、１単位画素ｇ１、ｇ２、ｇ３、ｇ４、・・・を構成する万線パターンと、同一の万線ピッチｐ及び万線角度θの万線により構成されるそれぞれ異なる万線パターンを、透明シートに形成した顕像化用の万線シートを重ね合わせることで、潜像画像Ｇ１、Ｇ２、Ｇ３、Ｇ４、・・・を顕像化するようにした偽造防止用画像形成体が提案されている（例えば、特許文献６参照）。【００１７】
この特許文献６による偽造防止用画像形成体は、各々の単位画素において万線パターンのピッチ及び角度を異ならせることにより、複数の潜像画像を顕像化するものではあるが、可視画像としては、一様な背景模様としか表現できず、さらに、潜像画像を顕像化するためには、その潜像画像を構成する単位画素の万線パターンに合ったピッチ及び角度を要する透明シートが必要となり、複数の判別具を用意しなければならないという問題があった。【００１８】
また、非特許文献１及び特許文献２〜５に示された技術は、潜像、すなわち埋め込まれた画像を完全に不可視状態にすることができるものではなく、さらに、証券類のデザインとの親和性が低いために、上述した線画階調表現方法に適用しにくいことが最も大きな問題となっている。また、非特許文献１及び特許文献２〜５に示された技術は、上述した線画階調表現方法から成る印刷模様とは別刷りで施さなければならず、結果的に偽造防止策に費やす製造コストも上がることになる。
【先行技術文献】
【特許文献】
【００１９】
【特許文献１】実公昭５６−１９２７３号公報
【特許文献２】特許第４１３２１２２号公報
【特許文献３】特許第４０１３４５０号公報
【特許文献４】特願２００７−４３１７１号公報
【特許文献５】特開２００４−１７４９９７号公報
【特許文献６】特開２００７−０１５１２０号公報
【非特許文献】
【００２０】
【非特許文献１】Opticａl Security and Counterfeit Deterrence Techniques IV Vol.4677 ( by SPIE-The International Society for Optical Engineering )
【発明の概要】
【発明が解決しようとする課題】
【００２１】
証券類では、印刷面上に数多くの偽造防止効果を有する画線が必要になる。しかしながら、印刷面には限りがあり、少ない印刷面積でも複数の真偽判別方法によって有効な作用を奏する偽造防止策が望まれている。【００２２】
また、上述した従来の印刷物では、潜像模様が平坦な濃度を有する印刷画線から成るため、鮮明に発現可能な不可視画像を形成することができなかった。また、従来の印刷物は、判別具を重ねる前に、あらかじめ潜像模様が視認されてしまうおそれがあった。また、あらかじめ潜像模様が視認されてしまう問題を防ぐためには、画線又は網点を小さくし、潜像模様と背景模様のずれ幅を少なくする必要があり、判別具を重ねた場合に潜像模様の視認性が劣ってしまう問題があった。また、印刷物の画線又は網点自体に指感性を有するものではなかった。【００２３】
さらに、何らかの可視画像を設けたとしても、特許文献３に記載された印刷物のように単純な白抜き画線から成るため、不可視画像を発現させた時の視認性を阻害するという問題があった。さらに、特許文献６に記載された印刷物のように複数の判別具を必要とするものもあった。【００２４】
本発明は、上記事情にかんがみ、単一の判別具により鮮明な発現が可能な不可視画像を形成するとともに、画線又は網点並びにずれ幅を小さくしなくとも、判別具を重ねる前に、あらかじめ不可視画像が視認され難く、不可視画像を発現させた時に不可視画像以外の領域によって視認性が阻害されない偽造防止印刷物を提供すること又は複数の真偽判別方法によって偽造防止効果を奏することで、判別具を用いる場合と判別具を用いない場合とで簡単に真偽判別を可能とし、判別具を用いる場合にあっても、鮮明な発現が可能な不可視画像を形成するとともに、画線又は網点並びにずれ幅を小さくしなくとも、判別具を重ねる前にあらかじめ不可視画像が視認され難く、かつ、不可視画像を発現させた時に不可視画像以外の領域によって視認性が阻害されない偽造防止印刷物を提供することを目的とする。
【課題を解決するための手段】
【００２５】
本発明の偽造防止印刷物は、所定のピッチで第１の方向に配列された第１の画線群と、第１の画線群の非画線部に第２の画線群によって可視画像が形成され、第２の画線群は第１の画線群に対して第２の方向に配列され、第２の画線群は、不可視画像のネガ及びポジの領域を形成し、第２の画線群は、不可視画像のネガ及びポジ領域のいずれか一方を形成する複数の第２の画線、他方を形成する複数の第３の画線及び濃度の不均衡を緩和する複数の第４の画線を含み、第２の画線の画線面積と第３の画像の画線の画線面積が同一又は略同一であり、第４の画線は、第２の画線の画線面積又は第３の画線の画線面積における半分又は略半分の画線面積から成り、第２の画線、第３の画線及び第４の画線は、規則的に配列された複数の画線ユニット内に形成され、複数の画線ユニットは、第１の画線ユニット、第２の画線ユニット、第３の画線ユニット及び第４の画線ユニットから成り、第１の画線ユニット及び第２の画線ユニットは同一の大きさであり、第３の画線ユニット及び第４の画線ユニットは、第１の画線ユニット又は第２の画線ユニットに対して第１の方向の方向に２倍の大きさの画線ユニットから成り、第１の画線ユニットは、第２の画線が第１の画線ユニットの中心を通るように形成され、第２の画線ユニットは、第３の画線が第２の画線ユニットの中心から等間隔で対向するように第２の画線が分割された一対の画線が設けられて形成され、第３の画線ユニットは、第２の画線、第４の画線及び第３の画線の内、一対の一方の画線が順次形成され、第４の画線ユニットは、第３の画線の内、一対の他方の画線、第４の画線及び第２の画線が順次形成され、不可視画像の輪郭を示す少なくとも一部に第３の画線ユニット又は第４の画線ユニットが形成されたことを特徴とする。【００２６】
また、本発明の偽造防止印刷物における不可視画像の輪郭に形成される第３の画線ユニットは、第１の方向に沿って第１の画線ユニットの一方の側に配置され、不可視画像の輪郭に形成される第４の画線ユニットは、第１の方向に沿って第１の画線ユニットの他方の側に配置されることを特徴とする。【００２７】
また、本発明の偽造防止印刷物における第２の画線、第３の画線及び第４の画線は、第２の方向に隣接される各画線ユニットに跨って一本の線として形成されることを特徴とする。【００２８】
また、本発明の偽造防止印刷物は、第１の画線ユニット及び第２の画線ユニットにおける第１の方向の幅の割合を４とし、第３の画線ユニット及び第４の画線ユニットにおける第１の方向の幅の割合を８とした場合に、第１の画線ユニットに形成される第２の画線は、第１の方向で「２：２」の比の位置である第１の画線ユニットの中心に第２の画線の中心が一致するように配置され、第２の画線ユニットに形成される第３の画線は、第１の方向方向で「４」の比の位置である第２の画線ユニットの両側に対向するように一対の画線として第３の画線が配置され、第３の画線ユニットに形成される第２の画線、第４の画線及び第３の画線の内、一対の一方の画線は、第１の方向で「２：３：３」の比の位置に一方の側から第２の画線の中心が２の比をもって配置され、第４の画線は、第２の画線の中心から３の比をもって配置され、第３の画線の内、一対の一方の画線は、第４の画線の中心から３の比をもって配置され、第４の画線ユニットに形成される第３の画線の内、一対の他方の画線、第４の画線及び第２の画線は、第１の方向で「３：３：２」の比の位置に一方の側から第３の画線の内、一対の一方の画線が一方の側に配置され、第４の画線の中心が３の比をもって配置され、第２の画線は、第４の画線の中心から３の比をもって配置されることを特徴とする。【００２９】
また、本発明の偽造防止印刷物における第２の画線、第３の画線及び第４の画線は、三角形状であることを特徴とする。【００３０】
また、本発明の偽造防止印刷物は、中心から放射状に形成された第１の画線群と、第１の画線群の非画線部に第２の画線群によって可視画像が形成され、第２の画線群は中心から所定のピッチの同心円形状に配列され、第２の画線群は、不可視画像のネガ及びポジの領域を形成し、第２の画線群は、不可視画像のネガ及びポジ領域のいずれか一方を形成する複数の第２の画線、他方を形成する複数の第３の画線及び濃度の不均衡を緩和する複数の第４の画線を含み、第２の画線の画線幅と第３の画像の画線幅が同一又は略同一であり、第４の画線は、第２の画線の画線幅又は第３の画線幅における半分又は略半分の画線幅からなり、第２の画線、第３の画線及び第４の画線は、規則的に配列された複数のアーチ形の画線ユニット内に形成され、複数のアーチ型画線ユニットは、第１の画線ユニット、第２の画線ユニット、第３の画線ユニット及び第４の画線ユニットから成り、第１の画線ユニット及び第２の画線ユニットは同一の大きさであり、第３の画線ユニット及び第４の画線ユニットは、第１の画線ユニット及び第２の画線ユニットよりも大きく、さらに、第１の画線ユニット及び第２の画線ユニットに対して同心円方向の中心方向に伸びた形状の画線ユニットから成り、第１の画線ユニットは、第２の画線が同心円方向に所定の位置で形成され、第２の画線ユニットは、第３の画線が同心円方向に第１の画線が形成された位置に対して半ピッチ又は略半ピッチのずれを有する位置に配置され、第３の画線ユニットは、第２の画線、第４の画線及び第３の画線が順次形成され、第４の画線ユニットは、第３の画線及び第４の画線が順次形成され、不可視画像の輪郭を示す少なくとも一部に第３の画線ユニット又は第４の画線ユニットが形成されたことを特徴とする。【００３１】
また、本発明の偽造防止印刷物は、第１の画線群及び第２の画線群が盛りを有する画線で形成されることを特徴とする。【００３２】
また、本発明の偽造防止印刷物は、基材の表面上に、それぞれ同一面積を有する第５の画線ユニットと第６の画線ユニットとがマトリックス状に配置されており、第５の画線ユニットは、第１の方向に延在するように配置された第１の画線と、第１の画線が存在しない領域の第１の位置に配置された第２の画線とを有し、第６の画線ユニットは、第１の方向に延在するように配置された第１の画線と、第１の画線が存在しない領域の第２の位置に配置された第３の画線とを有し、第１の画線は、基材の表面に対して第１の高さを有する第１の画線部と、第１の高さとは異なる第２の高さを有する第２の画線部とを有することで、第１の不可視画像を形成し、第５の画線ユニットと第６の画線ユニットのいずれか一方が配置された領域が第２の不可視画像の画像部を形成し、他方が配置された領域が第２の不可視画像の背景部を形成されたことを特徴とする偽造防止印刷物である。【００３３】
また、本発明の偽造防止印刷物における第１の不可視画像は、基材に対して９０度と異なる所定の角度範囲から視認することが可能であり、第２の不可視画像は、複数の第５の画線ユニットにおけるそれぞれの第１の位置に配置された第２の画線を拡大することにより、あるいは複数の第６の画線ユニットにおけるそれぞれの第２の位置に配置された第３の画線を拡大することにより視認することが可能であることを特徴とする偽造防止用印刷物である。【００３４】
また、本発明の偽造防止印刷物は、第５の画線ユニットの一方の側に第６の画線ユニットが配置された場合、濃度の不均衡を緩和するため、第５の画線ユニットにおける第２の画線又は第６の画線ユニットにおける第３の画線のいずれか一方の画線を削除し、いずれか一方の画線を削除した第５の画線ユニット又は第６の画線ユニットの略中心の位置に、第２の画線及び第３の画線の半分又は略半分の画線面積率を有する第４の画線が配置され、第１の方向に沿って第５の画線ユニットの他方の側に第６の画線ユニットが配置された場合、第５の画線ユニット及び第６の画線ユニットの境界線を中心とした位置に、第４の画線が配置されたことを特徴とする偽造防止印刷物である。【００３５】
また、本発明の偽造防止印刷物における第１の画線、第２の画線、第３の画線及び第４の画線は、複数の画線ユニット内に形成され、複数の画線ユニットは、第１の画線ユニット、第２の画線ユニット、第３の画線ユニット及び第４の画線ユニットから成り、第１の画線ユニット及び第２の画線ユニットは、同一の大きさであり、第３の画線ユニット及び第４の画線ユニットは、第１の画線ユニット又は第２の画線ユニットに対して第１の方向に２倍の大きさであり、第１の画線ユニットは、第２の画線が第１の画線ユニットの中心を通るように配置され、第２の画線ユニットは、第３の画線が第４の画線ユニットにおける中心から等間隔で対向するように第２の画線の半分又は略半分の画線面積率を有する第３の画線が一対として配置され、第３の画線ユニットは、第２の画線、第４の画線及び第２の画線の半分又は略半分の画線面積率を有する第３の画線の順に配列され、第４の画線ユニットは、第２の画線の半分又は略半分画線面積率で配置された第３の画線、第４の画線及び第２の画線の順に配置されたことを特徴とする偽造防止印刷物である。【００３６】
また、本発明の偽造防止印刷物における第１の方向に沿って第１の画線ユニットの一方の側に隣接して配置される画線ユニットは、第１の画線ユニット及び第３の画線ユニットであり、第１の方向に沿って第１の画線ユニットの他方の側に隣接して配置される画線ユニットは、第１の画線ユニット及び第４の画線ユニットであり、第１の方向に沿って第２の画線ユニットの一方の側に隣接して配置される画線ユニットは、第２の画線ユニット及び第４の画線ユニットであり、第１の方向に沿って第２の画線ユニットの他方の側に隣接して配置される画線ユニットは、第２の画線ユニット及び第３の画線ユニットであることを特徴とする偽造防止印刷物である。【００３７】
また、本発明の偽造防止印刷物における第２の画線、第３の画線及び第４の画線は、白空き部によって形成されたことを特徴とする偽造防止印刷物である。【００３８】
また、本発明の偽造防止印刷物は、第１の画線における少なくとも一部の単位長さ当たりの画線面積率を異ならせて配置することにより可視画像が形成されたことを特徴とする偽造防止印刷物である。【００３９】
また、本発明の偽造防止印刷物は、第１の画線における少なくとも一部をレリーフ状に配置することにより可視画像が形成されたことを特徴とする偽造防止印刷物である。【００４０】
また、本発明の偽造防止印刷物における第２の画線要素は、円形又は多角形によって形成されたことを特徴とする偽造防止印刷物である。【００４１】
また、本発明の偽造防止印刷物における第２の画線要素は、第１の画線要素と隣接して配置されるか、又は第１の画線要素と一体化して配置されたことを特徴とする偽造防止印刷物である。
【発明の効果】
【００４２】
本発明の偽造防止印刷物は、濃度不均衡を緩和する複数の画線を設けているため、画線又は網点並びにずれ幅を小さくしなくとも、判別具を重ねる前に、あらかじめ不可視画像が視認されにくく、偽造者に印刷物のどこに不可視画像が形成されているか判断されにくいため容易に複製されることがない。【００４３】
本発明の偽造防止印刷物は、画線又は網点並びにずれ幅を小さくせずに、不可視画像のネガ及びポジの領域に、所定のずれ幅を形成することが可能であるため、あらかじめ不可視画像が視認されにくく、かつ、判別具を重ねた場合に鮮明な不可視画像を視認することができ、判別者が容易に確認することができる。【００４４】
本発明の偽造防止印刷物は、単一の判別具により鮮明な発現が可能な不可視画像が形成されるとともに、線画階調表現方法からなる模様の意匠性を損なわない偽造防止印刷物が提供される。さらに、本発明の偽造防止印刷物は、画線自体に盛りを有する形態にすることで、指感性を有し、指感性の有無によって真偽判別ができる。【００４５】
本発明の偽造防止印刷物によれば、証券類の限られた印刷面上において、該印刷物上に備えられた第１の不可視画像と、第２の不可視画像とが、それぞれ二種類の真偽判別方法、すなわち判別具を用いない場合と判別具を用いる場合とでそれぞれに顕著な偽造防止効果を確認することができる。【００４６】
判別具を用いない方法としては、印刷物を正面から観察した際には、線画表現からなる模様の意匠性を損なわないように第１の不可視画像が形成されているが、印刷物を斜視にて観察することで、第１の不可視画像が可視画像となって出現する偽造防止印刷物が提供される。
【図面の簡単な説明】
【００４７】
【図１】任意のモティーフから成る印刷模様３が視認された状態を示す説明図。
【図２】印刷物１に判別具２を重ね合わせることにより、容易に不可視画像を発現させて真偽性を判別することができる状態を示す説明図。
【図３】不可視画像６が可視画像となって発現された状態を占めす説明図。
【図４】図形の位置関係を２次元上で示す基本的な画線構成を部分的に拡大した説明図。
【図５】画線ユニットＥ及び画線ユニットＦにおける画線５ａ及び画線５ｂの形状の一例を示す図。
【図６】本発明の偽造防止印刷物の基本的な画線構成の一例を部分的に拡大した説明図。
【図７】画線５ａ、５ｂに対し画線５ｃ、５ｄが半分又は略半分の画線面積率を成す各種画線形状を示す説明図。
【図８】図６（ａ）の画線ユニットＡと、図６（ｂ）の画線ユニットＢを、印刷物上における印刷模様３中に、マトリクス状に縦横隙間なく、連続的に、かつ、規則的に配置される位置関係を示した説明図。
【図９】所望の位置に配置するための条件に基づいて、印刷模様３上に画線ユニットＣと画線ユニットＤの位置が示された説明図。
【図１０】実施の形態１における印刷物に対する印刷模様の一画線の構成を部分的に拡大した図。
【図１１】図８の配置に基づいて、図１０（ａ）の画線ユニットＡと、図１０（ｂ）の画線ユニットＢを、印刷物上における印刷模様３中に、マトリクス状に縦横隙間なく、連続的に、かつ、規則的に配置された状態を示した説明図。
【図１２】画線ユニットＣに備わった画線５ｃと、画線ユニットＤに備わった画線５ｄとが配置された状態を示した説明図。
【図１３】階調要素を設けている主線４を加え、斜め４５度に配置されている画線５ａ、一対の画線５ｂ、画線５ｃ及び画線５ｄの長手方向の図柄的な連続性が、通常の目視の観察において客観的に理解できなった状態を示す説明図。
【図１４】図１０における線Ｌ１と各レンズの中心線とが一致するように、レンチキュラーレンズから成る判別具を印刷物１上の印刷模様３に重ね合わせ、正面から目視で観察した状態を示す説明図。
【図１５】レンチキュラーレンズの特性によって中心線７に位置する画線５ｂが膨張し、不可視画像６がネガポジ状のどちらかに見える可視画像となって発現する状態を示す説明図。
【図１６】画線ユニットＡ又は画線ユニットＢの対角方向に長方形又は平行四辺形を成す線状である状態を示す説明図。
【図１７】図１６（ａ）〜（ｄ）に示された画線ユニットＡ〜Dを用いて構成された印刷模様３において、画線５ａ、一対の画線５ｂ、画線ｃ及び画線ｄが、点線状となって見える状態を示す説明図。
【図１８】画線ユニットＡ、画線ユニットＢ、画線ユニットＣ又は画線ユニットＤの対角方向に三角形状を成す画線形状である状態を示す説明図。
【図１９】図１８（ａ）〜（ｄ）に示された画線ユニットＡ〜Dを用いて構成された印刷模様３において、画線５ａ、一対の画線５ｂ、画線ｃ及び画線ｄが、点線状となって見える状態を示す説明図。
【図２０】画線５ａの角度を変えることにより、横万線状の配置される主線の間隔を任意に調整することができることを示した説明図。
【図２１】実施の形態５における印刷物に対する印刷模様の一画線の構成する画線ユニットＡ〜Ｄを示した説明図。
【図２２】同心円万線フィルタ等の判別具２’を示した説明図。
【図２３】図２１（ａ）の画線ユニットＡと、図２１（ｂ）の画線ユニットＢを、印刷物上における印刷模様３’中に、マトリクス状に縦横隙間なく、連続的に、かつ、規則的に配置される位置関係を示した説明図。
【図２４】図２３の配置に基づいて画線５ａ’と画線５ｂ’とが配置された状態を示した説明図。
【図２５】所望の位置に配置するための条件に基づいて、印刷模様３’上に画線ユニットＣと画線ユニットＤの位置が示された説明図。
【図２６】図２５の配置に基づいて、画線ユニットＣに備わった画線５ｃ’と、画線ユニットＤに備わった画線５ｄ’とが配置された状態を示した説明図。
【図２７】可視画像を構成しているのは主線４’を付与した状態を示す説明図。
【図２８】図２１における線Ｌ１と各レンズの中心線とが一致するように、同心円万線フィルタから成る判別具２’を印刷物１上の印刷模様３’に重ね合わせ、正面から目視で観察した状態を示した説明図。
【図２９】同心円万線フィルタの特性によって中心線７に位置する画線５ｂ’が膨張し、可視画像がネガポジの関係となって見える状態を示した説明図。
【図３０】第１不可視画像と第２不可視画像を付与するための画線の立体的な構成を概念的に示した部分斜視図。
【図３１】印刷物１を真上から観察した場合の平面図と、低画線部４ａと高画線部４ｂとの盛り上がりの高さの違いを表した正面図。
【図３２】低画線部４ａと高画線部４ｂの高さによって見え方の違いが現れる印刷物１の側面図。
【図３３】低画線部４ａより高画線部４ｂの方が高濃度で観察された状態を示した斜視図。
【図３４】透明性を有するフィルタに複数の直線が万線状に一方向に沿って形成された万線フィルタ又はレンチキュラーレンズから成る判別具２を印刷物１に重ね合わせた状態を示した図。
【図３５】判別具によって第２不可視画像を可視化するための基本的な画線構成の一例を部分的に拡大した説明図。
【図３６】図３５（ａ）の画線ユニットＡと、図３５（ｂ）の画線ユニットＢと、図３５（ｃ）の画線ユニットＣと、図３５（ｄ）の画線ユニットＤを、印刷物上における印刷模様３中に、マトリックス状に縦横隙間なく、連続的に、かつ、規則的に配置される位置関係を示した説明図。
【図３７】レンチキュラーレンズから成る判別具を印刷物１上の印刷模様３に重ね合わせ、正面から目視で観察した状態を示した図。
【図３８】レンチキュラーレンズから成る判別具を印刷物１上の印刷模様３に重ね合わせ、正面から目視で観察した状態を示した図。
【図３９】任意の形状を成す模様９が構成される部分の、画線４の画線幅が細くなっている状態を示した図。
【図４０】低画線部４ａより高画線部４ｂの方が高濃度で観察された状態を示した斜視図。
【図４１】画線５ａの角度を変えることにより、画線ユニットにおける縦の長さを調整することができる説明図。
【図４２】従来の潜像凹版と呼ばれる偽造防止技術の印刷面を正面から見た観察した場合の説明図。
【図４３】従来の潜像凹版と呼ばれる偽造防止技術の印刷面を斜めから観察した状態を示した斜視図。
【図４４】高さの異なる第１高画線部４ｂと第２高画線部４ｃとで構成された第１不可視画像と、第２不可視画像を付与するための画線の立体的な構成を概念的に示した部分斜視図。
【図４５】低画線部４ａと段階的に高さの異なる第１高画線部４ｂ〜第５高画線部４ｆが施されている画線４から成る印刷物１を真上から観察した場合の平面図。
【図４６】第１高画線部４ｂ〜第５高画線部４ｆで構成された領域において斜めから観察することにより濃淡差を有する第１不可視画像８が出現している状態を示した斜視図。
【図４７】第１高画線部４ｂ〜第５高画線部４ｆで構成された領域において斜めから観察することにより第１不可視画像８が出現している状態を示した斜視図。
【図４８】第１不可視画像と第２不可視画像を付与するための画線の立体的な構成を概念的に示した部分斜視図。
【図４９】判別具によって第２不可視画像を可視化するための基本的な画線構成を部分的に拡大した説明図。
【図５０】画線ユニットＥと画線ユニットＦを、印刷物上における印刷模様３中に、マトリックス状に縦横隙間なく、連続的に、かつ、規則的に配置される位置関係を示した説明図。
【図５１】画線４に低画線部４ａと高画線部４ｂが設けられている状態を示した説明図。
【図５２】判別具を印刷物１上の印刷模様３に重ね合わせ、正面から目視で観察した状態の図。
【図５３】第１不可視画像と第２不可視画像を付与するための画線の立体的な構成を概念的に示した部分斜視図。
【図５４】判別具によって第２不可視画像を可視化するための基本的な画線構成の一例を部分的に拡大した説明図。
【図５５】画線４に低画線部４ａと高画線部４ｂが設けられている状態を示した説明図。
【図５６】レンチキュラーレンズから成る判別具を印刷物上の印刷模様３に重ね合わせ、正面から目視で観察した状態を示した図。
【図５７】レンチキュラーレンズから成る判別具を印刷物上の印刷模様３に重ね合わせ、正面から目視で観察した状態を示した図。
【図５８】濃度の不均衡を緩和するための第５の画線ユニット(E)における画線５ａの削除と、画線５ｃ及び画線５ｄの追加を行った状態を示す説明図。
【図５９】第１の画線をレリーフ状の画線とすることで、模様Ｔが形成された状態を示す図。
【図６０】海外の点位相変調を用いた真偽判別方法の例。
【図６１】海外の線位相変調を用いた真偽判別方法の例。
【発明を実施するための最良の形態】
【００４８】
以下、本発明の実施の形態１〜９による偽造防止印刷物について、図面を用いて説明する。しかしながら、本発明は以下に述べる実施するための最良の形態に限定されるものではなく、特許請求の範囲に記載されている技術の範疇であれば、その他いろいろな実施の形態が含まれる。【００４９】
本発明の実施の形態１〜９による偽造防止印刷物は、図２に示されたように、印刷物１に判別具２を重ね合わせることにより、容易に不可視画像を発現させて真偽性を判別することができるものである。判別具２は、透明性を有するフィルタに複数の直線が万線状に一方向に沿って形成された万線フィルタ又はレンチキュラーレンズ等である。印刷物１の印刷模様３を通常の可視条件において目視により観察すると、図１に示されたように、任意のモティーフから成る印刷模様３が視認される。そして、判別具２に設けられた一方向に沿って形成された万線フィルタ又はレンチキュラーレンズ等を所定の角度（例えば、４５度とする）を持って印刷物１上に重ね合わせると、図３（ａ）又は図３（ｂ）に示されたような不可視画像６が可視画像となって発現する。図３（ａ）又は図３（ｂ）に示されるようにネガポジ状のどちらかに見えるのは、判別具２と印刷物１との間の相対的な位置によって生ずるものであり、本発明の効果の範囲内である。【００５０】
本発明は、意図的な位置関係から成る図形を有する複数の画線要素が、マトリックス状に配置された印刷物である。図４は、本発明の印刷物における図形の位置関係を２次元上で簡単に示されたものである。図４で示されたように、本発明の印刷物は、少なくとも二種類の画線ユニットで構成されている。画線ユニットＥと画線ユニットＦは、それぞれ第１の画線４を形成する領域と第２の画線又は第３の画線を形成する領域を備えている。第１の画線４は、後述にて説明する低画線部４ａと高画線部４ｂとによって構成することも可能である。画線ユニットＥにおける第２の画線５ａと、画線ユニットＦにおける第３の画線５ｂは、第１の画線４の長手方向に対し互いに異なる位置関係を有している。【００５１】
また、本発明は、図２に示されたように、印刷物１と判別具２を重ね合わせることによって、任意の不可視画像を可視画像として視認することを可能としている。判別具２は、透明性を有するフィルタに複数の直線が万線状に一方向に沿って形成された万線フィルタ又はレンチキュラーレンズ等である。万線フィルタ又はレンチキュラーレンズの中心線が、画線ユニットＥに備わっている第２の画線５ａ又は画線ユニットＦに備わっている第３の画線５ｂと合致することによって効果を奏するものである。この第２の画線５ａ及び第３の画線５ｂの形状に何ら制限はなく、位置関係及び印刷面からの高さが重要な要素となっている。【００５２】
図５は、第２の画線５ａと第３の画線５ｂにおける形状の例が示されたものである。図５（ａ）は、第２の画線５ａと第３の画線５ｂが円形となっている。線Ｌ１が、図５に示された判別具２と合致することによって、不可視画像を可視画像とさせることができる。これについては後述で詳細に説明する。図５（ａ）に示されたように第２の画線５ａと第３の画線５ｂとが円形の場合、線Ｌ１の角度θは第１の画線４の長手方向に対し垂直から略斜め４５度まで対応している。また、図５（ｂ）に示されたように第２の画線５ａと第３の画線５ｂとが楕円形の場合、線Ｌ１の角度は楕円形の長手方向と同じく垂直としている。あるいは、図５（ｃ）に示されたように第２の画線５ａと第３の画線５ｂとが楕円形であっても、楕円形の長手方向が斜めである場合は線Ｌ１の角度も同じ方向で斜めになっていることが望ましい。また、図５（ｄ）に示されたように第２の画線５ａと第３の画線５ｂとが円形で、しかも第１の画線４と一部が結合している場合は、第２の画線５ａと第３の画線５ｂの円形の中心から外輪を結ぶ線上に線Ｌ１が適用される。なお、図５（ａ）〜（ｄ）に示された寸法Ｓは、判別具２に備わった溝のピッチと等しい。【００５３】
また、第２の画線５ａと第３の画線５ｂを任意の配置によりオンオフの関係とすることで不可視画像を形成するため、オンと成る画線が連続又はオフと成る画線が連続する場合は、画線濃度が濃淡として視認されるため、濃度が不均衡な状態として視認される。そこで、濃度の不均衡を緩和するため、オンと成る画線が連続して配置される場合は、いずれか一方の画線を削除し、オフとなる画線が連続して配置される場合には、第２の画線５ａ及び第３の画線５ｂの半分の画線面積率を有する第４の画線５ｃ又は第５の画線５ｄを連続してオフと成る第２の画線５ａ及び第３の画線５ｂの中心の位置に形成する。このことで、印刷物における可視画像の濃度の不均衡を緩和する。以上の構成によって形成される画線は、４種類の画線ユニットで構成される。【００５４】
図６は、上述した４種類の画線ユニットの基本的な画線構成の一例を部分的に拡大した説明図である。本発明は、図６（ａ）〜（ｄ）に示された画線ユニットＡ〜Ｄの４つのユニットで構成される。画線ユニットＡ〜Ｄにおいて、画線５ａ〜ｄからなる画線群が所望の配置にて構成される。線Ｌ１〜４は、図２に示された判別具２に備わった溝の方向であり、図６では、例えば、４５度とし、寸法Ｓは、判別具２に備わった溝のピッチと等しい。図６（ａ）〜（ｄ）に示された画線ユニットＡ〜Ｄが、印刷物の表面上において所望の規則をもって配置される。画線ユニットＡ、Ｂに対し画線ユニットＣ、Ｄは、主線４の長手方向において２倍の大きさである。図６（ａ）に示す画線ユニットＡには画線５ａが配置され、図６（ｂ）に示す画線ユニットＢには一対の画線から成る画線５ｂが配置され、図６（ｃ）に示す画線ユニットＣには画線５ａ、画線５ｃ及び一対の画線から成る画線５ｂの内、一方の画線が配置され、図６（ｄ）に示す画線ユニットＤには一対の画線から成る画線５ｂの内、他方の画線、画線５ｃ及び画線５ａが配置される。図６（ａ）の画線ユニットＡに配置された画線５ａと、図６（ｂ）の画線ユニットＢに配置された一対の画線から成る画線５ｂとは、画線面積が同一又は略同一である。なお、一対の画線から成る画線５ｂは、画線５ａが分割された画線である。また、図６（ｃ）の画線ユニットＣに配置された画線５ｃは、同じく画線ユニットＣに配置された画線５ａ又は一対の画線から成る画線５ｂの半分又は略半分の画線面積である。さらに、画線５ｃは、画線ユニットＣに配置された画線５ａと一方の画線の画線５ｂの略中央に配置している。一方、図６（ｄ）の画線ユニットＤに配置された画線５ｄは、同じく画線ユニットＤに配置された画線５ａ又は一対の画線から成る画線５ｂの半分又は略半分の画線面積である。さらに、画線５ｄは、画線ユニットＤに配置された他方の画線の画線５ｂと画線５ａの略中央に配置している。【００５５】
図６（ａ）〜（ｄ）に示された画線ユニットＡ〜Ｄにおける画線５ａ〜５ｄの位置関係は、主線４の長手方向において「２：３：４」のいずれかの比をもって配置することができる。まず、図６（ａ）に示す画線ユニットＡは、画線５ａが主線４の長手方向で「２：２」の比の位置、すなわち、画線ユニットＡの中心に画線５ａの中心が配置される。図６（ｂ）に示す画線ユニットＢは、一対の画線５ｂが主線４の長手方向で「４」の比の位置に一対の画線５ｂが配置され、すなわち、画線ユニットＢの両側に一対の画線５ｂが配置される。また、図６（ｂ）に示す画線ユニットＢの中心から等間隔に対向するように一対の画線５ｂが配置されても良い。図６（ｃ）に示す画線ユニットＣは、画線５ａ、画線５ｃ、一方の画線の画線５ｂが主線４の長手方向で「２：３：３」の比の位置、すなわち、左側から画線５ａの中心が２の比をもって配置され、続いて画線５ｃの中心が３の比をもって配置され、続いて他方の画線の画線５ｂが３の比をもって配置される。図６（ｄ）に示す画線ユニットＤは、画線５ａ、画線５ｃ、他方の画線の画線５ｂが主線４の長手方向で「３：３：２」の比の位置、すなわち、左端に他方の画線の画線５ｂが配置され、続いて画線５ｄの中心が３の比をもって配置され、続いて画線５ａの中心が３の比をもって配置される。【００５６】
図６（ａ）〜（ｄ）に示された画線ユニットＡ〜Ｄにおける画線５ａ〜５ｄの形状は、図６に示された形状に限るものではなく、それ以外の形状であっても良い。ただし、寸法Ｓによって隔たれた線Ｌ１及び線Ｌ２、又は線Ｌ３及び線Ｌ４の線方向に伸長された図形であることが望ましい。例えば、図７（ａ）に示されるように、画線５ａ、５ｂと画線５ｃ、５ｄとが相似の楕円形であったり、また、図７（ｂ）に示されるように、画線５ａ、５ｂに対し、画線５ｃ、５ｄが線Ｌ３及び線Ｌ４の線方向を軸に細めている楕円形であったり、さらに、図７（ｃ）に示されるように、画線５ａ、５ｂと画線５ｃ、５ｄとが、線Ｌ３及び線Ｌ４の線方向を軸に２：１の画線幅の比を有する平行四辺形であっても良い。すなわち、画線５ａ、５ｂに対し画線５ｃ、５ｄが半分又は略半分の画線面積率を成すものであれば、画線５ａ〜５ｄの形状は何ら限定するものではない。【００５７】
図８は、図６（ａ）の画線ユニットＡと、図６（ｂ）の画線ユニットＢを、印刷物上における印刷模様３中に、マトリクス状に縦横隙間なく、連続的に、かつ、規則的に配置される位置関係を示した説明図である。なお、この図８では、不可視画像６が備わる部分が解るように太実線で簡易的に示したものである。さらに、画線ユニットＡと画線ユニットＢに備わった画線群の連続性を保つため、図６（ｃ）に示された画線ユニットＣと、図６（ｄ）に示された画線ユニットＤを、不可視画像６の輪郭となる少なくとも一部に配置する。図９は、所望の位置に配置するための条件に基づいて、印刷模様３上に画線ユニットＣと画線ユニットＤの位置が示された説明図である。まず、画線ユニットＣが配置される場所は、画線ユニットＡが左側で、画線ユニットＢが右側で水平方向（図１に示された主線４の長手方向）に隣接した条件の場所に画線ユニットＣが配置される。つまり、画線ユニットＣが配置される場所は、不可視画像６の輪郭となる左側に配置される。一方、画線ユニットＤが配置される場所は、画線ユニットＢが左側で、画線ユニットＡが右側で水平方向（図１に示された主線４の長手方向）に隣接した条件の場所に画線ユニットＤが配置される。つまり、画線ユニットＤが配置される場所は、不可視画像６の輪郭となる右側に配置される。【００５８】
（１）実施の形態１
本発明の実施の形態１による偽造防止印刷物について説明する。
図１０に、本実施の形態１における印刷物に対する印刷模様の一画線の構成を部分的に拡大して示す。ここで、寸法Ｓは、図２に示された万線フィルタ又はレンチキュラーレンズ等の判別具２に備わった溝のピッチと等しく、本実施の形態１では１９５μｍというように１ｍｍ以下の大きさである。図１０（ａ）〜（ｄ）に示された画線ユニットＡ〜Ｄが、印刷物の表面上において所望の規則をもって配置される。図１０（ａ）及び（ｂ）は四辺それぞれの長さが２７６μｍの正方形で、図１０（ｃ）及び（ｄ）は縦が２７６μｍ、横が５５２μｍの長方形である。図１０（ａ）の画線ユニットＡに配置された画線５ａと、図１０（ｂ）の画線ユニットＢに配置された一対の画線５ｂとは、画線面積が同一又は略同一である。また、図１０（ｃ）の画線ユニットＣに配置された画線５ｃは、同じく画線ユニットＣに配置された画線５ａの半分又は略半分の画線幅となっている。すなわち、画線５ｃは画線５ａの半分又は略半分の画線面積である。さらに、画線５ｃは、画線ユニットＣに配置された画線５ａと一方の画線の画線５ｂの略中央に配置している。一方、図１０（ｄ）の画線ユニットＤに配置された画線５ｄは、同じく画線ユニットＤに配置された一対の画線５ｂの半分又は略半分の画線幅となっている。すなわち、画線５ｄは一対の画線５ｂの半分又は略半分の画線面積である。さらに、画線５ｄは、画線ユニットＤに配置された他方の画線の画線５ｂと画線５ａの略中央に配置している。【００５９】
図１１は、図８の配置に基づいて、図１０（ａ）の画線ユニットＡと、図１０（ｂ）の画線ユニットＢを、印刷物上における印刷模様３中に、マトリクス状に縦横隙間なく、連続的に、かつ、規則的に配置された状態を示したものである。この図１１に示されたように、不可視画像を境に外側を画線５ａ、内側を一対の画線５ｂが占めていることがわかる。このような画線５ａと画線５ｂとが存在することで通常の可視条件下では視認されず、画線５ａのみにより不可視画像６（ネガ又はポジ）、画線５ｂのみにより不可視画像６（ポジ又はネガ）がそれぞれ形成されている。【００６０】
図１１の画線構成ですでに不可視画像６を施されている状態になっているが、不可視画像６が施されている状態をよりわかり難くするため、図９の配置に基づいて、図１０（ｃ）に示された画線ユニットＣと、図１０（ｄ）に示された画線ユニットＤを、不可視画像６の輪郭となる少なくとも一部に配置する。まず、画線ユニットＡが左側で、画線ユニットＢが右側で水平方向（図１に示された主線４の長手方向）に隣接した条件の場所に画線ユニットＣが配置される。一方、画線ユニットＢが左側で、画線ユニットＡが右側で水平方向（図１に示された主線４の長手方向）に隣接した条件の場所に画線ユニットＤが配置される。【００６１】
図１２は、画線ユニットＣに備わった画線５ｃと、画線ユニットＤに備わった画線５ｄとが配置された状態を示したものである。さらに、図１３に示されたように、線画階調表現方法において階調要素を設けている主線４を加えると、斜め４５度に配置されている画線５ａ、一対の画線５ｂ、画線５ｃ及び画線５ｄの長手方向の図柄的な連続性が、通常の目視の観察において客観的に理解できなくなり、そこに意図的な模様があることを認識できず完全に不可視の状態となって観察される。なお、主線４の画線幅は、一定でなくても良く、細い幅から太い幅に連続的に変化するか、又は太い幅から細い幅へと連続的に変化させることができる。この主線４は、判別具を重ねる前に、あらかじめ、不可視画像が視認されにくいためのカムフラージュ効果を有している。【００６２】
この状態で、図２に示されたように、例えば、レンチキュラーレンズから成る判別具２を印刷物１上の印刷模様３に重ね合わせ、正面から目視で観察することによって、印刷模様３に施されている不可視画像６を可視画像として発現させることができる。なお、本実施の形態１では、長さＳが３４０μｍで、印刷模様３がオフセット印刷によりコート紙に印刷されている。しかし、長さＳ、印刷物の基材、印刷方法、印刷材料、印刷装置等について何ら限定するものでない。【００６３】
通常の目視では、印刷模様３全体が任意の図案、すなわち、可視画像となって視認されるが、印刷模様３中に施されている不可視画像６は視認されない。判別具を印刷模様上の所定の位置に重ね合わせると、それまで視認できなかった不可視画像６が視認されるようになる。このような本実施の形態１による不可視画像６の視認効果の原理について、以下に説明する。【００６４】
不可視画像６が視認されていないとき、その可視画像を構成しているのは図１３に示された主線４であり、それを補助する画線となっているのが図１に示された副線５である。さらに、副線５は不可視画像を構成するために、画線５ａ及び画線５ｂから成り、それぞれネガポジの関係にあるとともに面積が同一又は略同一であるため、画像（模様）として確認されることはない。【００６５】
印刷物上の所定の位置に、判別具であるレンチキュラーレンズにおける各レンズの中心線が画線５ａの中心、すなわち図１０における線Ｌ１に一致するように載置する。この場合、画線５ａが拡大された状態となるため、画線５ａにより構成されている画像（模様）が確認できることとなる。その際、可視画像を構成していた主線４は、拡大されている画線５ａよりも面積が相対的に小さくなる。線Ｌ２と一致するように載置すると、画線５ｂが拡大された状態となるため、画線５ａにより視認された不可視画像６のネガポジが反転して視認される。【００６６】
印刷模様３に、所定の角度、より具体的には、図１０における線Ｌ１と各レンズの中心線とが一致するように、レンチキュラーレンズから成る判別具２を印刷物１上の印刷模様３に重ね合わせ、正面から目視で観察した状態を図１４に示す。レンチキュラーレンズの中心線７が図１０における線Ｌ１と一致するように図１４（ａ）に示された位置にあるとき、中心線７に位置するのは、画線５ａとなっている。レンチキュラーレンズの特性によって中心線７に位置する画線５ａが膨張して見えるため、目視では図１４（ｂ）に示されたような図形の可視画像が発現する。また、レンチキュラーレンズの中心線７が図１０における線Ｌ２と一致し、図１５（ａ）に示された位置にあるとき、中心線７に位置するのは、画線５ｂとなっている。そのため、レンチキュラーレンズの特性によって中心線７に位置する画線５ｂが膨張して見えることから、目視では、図１５（ｂ）に示されたような図形の可視画像が発現する。ここで、画線５ａと画線５ｂとはネガポジの関係にある。よって、上述の図３（ａ）又は図３（ｂ）に示されたような不可視画像６がネガポジ状のどちらかに見える可視画像となって発現する。【００６７】
（２）実施の形態２
実施の形態１における印刷物１の画線５ａ及び一対の画線５ｂは、図１０に示されたように、画線ユニットＡ又は画線ユニットＢの対角線状になっている。しかし、本実施の形態２では、このような形状には限定されず、例えば、図１６に示されたように、画線ユニットＡ又は画線ユニットＢの対角方向に長方形又は平行四辺形を成す線状であっても良い。図１６（ａ）及び（ｂ）は、四辺それぞれの長さが２７６μｍの正方形で、図１６（ｃ）及び（ｄ）は縦が２７６μｍ、横が５５２μｍの長方形である。図１７は、図１６（ａ）〜（ｄ）に示された画線ユニットＡ〜Ｄを用いて構成された印刷模様３であるが、このように、画線５ａ、一対の画線５ｂ、画線５ｃ及び画線５ｄが、点線状となっても良い。したがって、印刷模様３中の画線の少なくとも連続階調を奏する主線４を有し、画線５ａと画線５ｂとが対を成してネガポジの関係にあり、かつ、面積が同一又は略同一であって不可視画像６を構成し、かつ、画線５ｃと画線５ｄとは、画線５ａ又は一対の画線５ｂの半分又は略半分の画線幅であり、更に主線４が可視画像（デザイン：模様）として視認されるものであれば、長方形又は平行四辺形の長手方向の長さは何ら限定するものではない。なお、画線５ｃと画線５ｄの面積は、画線５ａの半分又は略半分であっても良い。【００６８】
（３）実施の形態３
また、図１８に示されたように、画線ユニットＡ又は画線ユニットＢの対角方向に三角形状を成す画線形状であっても良い。図１８（ａ）及び（ｂ）は四辺それぞれの長さが２７６μｍの正方形で、図１８（ｃ）及び（ｄ）は縦が２７６μｍ、横が５５２μｍの長方形である。図１９は、図１８（ａ）〜（ｄ）に示された画線ユニットＡ〜Ｄを用いて構成された印刷模様３であるが、このように、画線５ａ、一対の画線５ｂ、画線５ｃ及び画線５ｄが、三角形状の図形が連なる点線状となっても良い。したがって、印刷模様３中の画線の少なくとも連続階調を奏する主線４を有し、画線５ａと一対の画線５ｂとが対を成してネガポジの関係にあり、かつ、面積が同一又は略同一であって不可視画像６を構成し、かつ、画線５ｃと画線５ｄとは、画線５ａ又は一対の画線５ｂの半分又は略半分の画線面積であり、更に主線４が可視画像（デザイン：模様）として視認されるものであれば、画線の形状も何ら限定するものではない。【００６９】
（４）実施の形態４
上述された実施の形態１乃至３における画線ユニットは、正方形を基本としているが、寸法Ｓが判別具２の万線フィルタ又はレンチキュラーレンズのピッチと合致していれば画線ユニットの四辺の寸法は任意である。すなわち、図２０（ａ）〜（ｃ）に示されるように、画線５ａの角度χがそれぞれ異なる場合、画線ユニットＡ及び画線ユニットＢの縦の長さは、ｖ＝Ｓ・ｓｅｃ（χ）で算出でき、横の長さは、ｈ＝Ｓ・ｃｓｃ（χ）で算出できる。例えば、図２０（ａ）は、角度χが４５度であるため、レンチキュラーレンズのピッチの寸法Ｓが１９５μｍの場合、縦Ｖ横ｈとも同じ２７６μｍとなる。また、図２０（ｂ）は、角度χ’が３５度であるため、レンチキュラーレンズのピッチの寸法Ｓが１９５μｍの場合、縦ｖ’が２３９μｍで、横ｈ’が３４１μｍとなる。さらに、図２０（ｃ）は、角度χ”が６０度であるため、レンチキュラーレンズのピッチの寸法Ｓが１９５μｍの場合、縦ｖ”が３９１μｍで、横ｈ”が２２６μｍとなる。なお、画線ユニットＣ及び画線ユニットＤについては、実施の形態１乃至３に倣って、横ｈが図２０（ａ）〜（ｃ）それぞれに倍の長さになる。このように、画線５ａの角度を変えることにより、横万線状に配置される主線４の間隔を任意に調整することができる。【００７０】
なお、実施の形態１乃至４によれば、主線４を用いて自由度が高く意匠性を有する鮮明な可視画像を形成することができるため、有価証券等の印刷物においても有用である。また、印刷物１上に判別具２を重ね合わせることによって、画線５ａ及び一対の画線５ｂで形成される不可視画像６を容易に、かつ、鮮明に発現させることが可能である。さらに、本発明における印刷物を構成する各画線を同一色とした単色印刷のみでも十分な偽造防止効果が得られる上に、製版及び印刷方法等について何ら限定しないため、コストを低減させることができる。【００７１】
なお、実施の形態１乃至４によれば、所定のピッチで第１の方向に配列された第１の画線群である主線４と、主線４の非画線部に画線５ａ、画線５ｂ、画線５ｃ、画線５ｄからなる第２の画線群によって可視画像が形成される。第２の画線群は主線４に対して所定の角度をなして第２の方向に配列される。第２の画線群は、不可視画像のネガ及びポジの領域を形成し、不可視画像のネガ及びポジ領域のいずれか一方を形成する複数の第２の画線である画線５ａ、他方を形成する複数の第３の画線である画線５ｂ及び濃度の不均衡を緩和する複数の第４の画線である画線５ｃ及び画線５ｄから成る。第２の画線である画線５ａの画線面積と第３の画像である画線５ｂの画線面積が同一又は略同一であり、第４の画線である画線５ｃ及び画線５ｄは、第２の画線である画線５ａの画線面積又は第３の画線面積である画線５ｂにおける半分又は略半分の画線面積から成る。第２の画線である画線５ａ、第３の画線である画線５ｂ及び第４の画線である画線５ｃ及び画線５ｄは、規則的に配列された複数の画線ユニット内に形成される。複数の画線ユニットは、画線ユニットＡである第１の画線ユニット、画線ユニットＢである第２の画線ユニット、画線ユニットＣである第３の画線ユニット及び画線ユニットＤである第４の画線ユニットから成り、画線ユニットＡである第１の画線ユニット及び画線ユニットＢである第２の画線ユニットは同一の大きさであり、画線ユニットＣである第３の画線ユニット及び画線ユニットＤである第４の画線ユニットは、画線ユニットＡである第１の画線ユニット又は画線ユニットＢである第２の画線ユニットに対して主線方向に２倍の大きさの画線ユニットから成る。さらに、詳細には、画線ユニットＡは、画線５ａが画線ユニットＡの中心を通るように形成され、画線ユニットＢは、画線５ｂが画線ユニットＢの中心から等間隔で対向するように画線５ａが分割された一対の画線が設けられて形成されている。画線ユニットＣは、画線５ａ、画線５ｃ及び画線５ｂの内、一対の一方の画線が順次形成され、画線ユニットＤは、画線５ｂの内、一対の他方の画線、画線５ｄ及び画線５ａが順次形成される。画線ユニットＣである第３の画線ユニット又は画線ユニットＤである第４の画線ユニットは、不可視画像の輪郭を示す少なくとも一部に形成される。【００７２】
なお、実施の形態１の偽造防止印刷物では、画線５ａである第２の画像、画線５ｂである第３の画線、画線５ｃ及び画線５ｄである第４の画線は、第２の方向に隣接される各画線ユニットに跨って一本の線として形成されることを特徴とする。【００７３】
（５）実施の形態５
上述された実施の形態１乃至４は、四角形で構成された画線ユニットをマトリクス状に配置しているため、不可視画像を構成する画線は必然的に平行直万線状となるが、図２７に示されるように主線４’が放射状に配置している場合、不可視画像を構成する画線５ａ’と画線５ｂ’は必然的に同心円万線状となる。本発明の実施の形態５では、同心円万線状の画線構成にて不可視画像が施された偽造防止印刷物について説明する。【００７４】
図２１に、本実施の形態５における印刷物に対する印刷模様の一画線の構成を部分的に拡大して示す。扇状の領域における法線方向の寸法Ｓは、図２２に示された同心円万線フィルタ等の判別具２’に備わった溝のピッチと等しく、本実施の形態５では、１９５μｍというように１ｍｍ以下の大きさである。図２１（ａ）〜（ｄ）に示された画線ユニットＡ〜Ｄが、印刷物の表面上において所望の規則をもって配置される。図２１（ａ）及び（ｂ）は扇状（アーチ状）の領域における弧の長さは、後述する印刷模様３の大きさと、放射線状に配置される主線４の分割角度によって決定される。図２１（ｃ）及び（ｄ）は扇状の領域における法線方向の寸法Ｓの２倍である。図２１（ａ）の画線ユニットＡに配置された画線５ａ’と、図２１（ｂ）の画線ユニットＢに配置された画線５ｂ’とは、画線幅が同一又は略同一である。また、図２１（ｃ）の画線ユニットＣに配置された画線５ｃ’は、同じく画線ユニットＣに配置された画線５ａ’の半分又は略半分の画線幅となっている。さらに、画線５ｃ’は、画線ユニットＣに配置された画線５ａ’と画線５ｂ’の略中央に配置している。一方、図２１（ｄ）の画線ユニットＣに配置された画線５ｄ’は、同じく画線ユニットＤに配置された画線５ｂ’の半分又は略半分の画線幅となっている。さらに、画線５ｄ’は、画線ユニットＤに配置された画線５ｂ’と、隣接して配置される画線ユニットＡ又は画線ユニットＣの画線５ａ’の略中央に配置している。【００７５】
図２３は、図２１（ａ）の画線ユニットＡと、図２１（ｂ）の画線ユニットＢを、印刷物上における印刷模様３’中に、マトリクス状に縦横隙間なく、連続的に、かつ、規則的に配置される位置関係を示した説明図である。なお、この図２３では、不可視画像６’が備わる部分が解るように太実線で簡易的に示したものである。図２４は、図２３の配置に基づいて画線５ａ’と画線５ｂ’とが配置された状態を示したものである。不可視画像を境に外側を画線５ａ’、内側を画線５’が占めていることがわかる。このような画線５ａ’と画線５ｂ’とが存在することで通常の可視条件下では視認されず、画線５ａ’のみにより不可視画像６’（ネガ又はポジ）、画線５ｂ’のみにより不可視画像６’（ポジ又はネガ）がそれぞれ形成されている。【００７６】
図２４の画線構成ですでに不可視画像６’を施されている状態になっているが、不可視画像６’が施されている状態をよりわかり難くさせるため、図２１（ｃ）に示された画線ユニットＣと、図２１（ｄ）に示された画線ユニットＤを、所望の位置に配置する。まず、画線ユニットＣが配置される場所は、画線ユニットＡが外側で、画線ユニットＢが内側で放射線方向（図２７に示された主線４’の長手方向）に隣接した条件の場所に画線ユニットＣが配置される。一方、画線ユニットＤが配置される場所は、画線ユニットＢが外側で、画線ユニットＡが内側で放射線方向（図２７に示された主線４’の長手方向）に隣接した条件の場所に画線ユニットＤが配置される。図２５は、所望の位置に配置するための条件に基づいて、印刷模様３’上に画線ユニットＣと画線ユニットＤの位置が示された説明図である。【００７７】
図２６は、図２５の配置に基づいて、画線ユニットＣに備わった画線５ｃ’と、画線ユニットＤに備わった画線５ｄ’とが配置された状態を示したものである。さらに、図２７に示されたように、線画階調表現方法において階調要素を設けている中心から放射状に形成される主線４’を加えると、同心円状に配置されている画線５ａ’、画線５ｂ’、画線５ｃ’及び画線５ｄ’の長手方向の図柄的な連続性が、通常の目視の観察において客観的に理解できなくなり、そこに意図的な模様があることを認識できず完全に不可視の状態となって観察される。【００７８】
この状態で、図２２に示されたように、例えば、同心円万線フィルタから成る判別具２’を印刷物１’上の印刷模様３’に重ね合わせ、正面から目視で観察することによって、印刷模様３’に施されている不可視画像６’を可視画像として発現させることができる。なお、本実施の形態５では、長さＳが１９５μｍで、印刷模様３’がオフセット印刷によりコート紙に印刷されている。しかし、長さＳ、印刷物の基材、印刷方法、印刷材料、印刷装置等について何ら限定するものでない。【００７９】
通常の目視では、印刷模様３’全体が任意の図案、すなわち可視画像となって視認されるが、印刷模様３’中に施されている不可視画像６’は視認されない。判別具を印刷模様上の所定の位置に重ね合わせると、それまで視認できなかった不可視画像６’が視認されるようになる。このような本実施の形態５による不可視画像６の視認効果の原理について、以下に説明する。【００８０】
不可視画像６’が視認されていないとき、その可視画像を構成しているのは図２７に示された主線４’であり、それを補助する画線となっているのが図１に示された副線５である。さらに、副線５’は不可視画像を構成するために、画線５ａ’及び画線５ｂ’から成り、それぞれネガポジの関係にあるとともに面積が同一又は略同一であるため、画像（模様）として確認されることはない。【００８１】
印刷物上の所定の位置に、判別具である同心円万線フィルタにおける各レンズの中心線が画線５ａ’の中心、すなわち図２１における線Ｌ１’に一致するように載置する。この場合、画線５ａ’が拡大された状態となるため、画線５ａ’により構成されている画像（模様）が確認できることとなる。その際、可視画像を構成していた主線４’は、拡大されている画線５ａ’よりも面積が相対的に小さくなる。線Ｌ２’と一致するように載置すると、画線５ｂ’が拡大された状態となるため、画線５ａ’により視認された不可視画像６’のネガポジが反転して視認される。【００８２】
より具体的には、図２１における線Ｌ１と各レンズの中心線とが一致するように、同心円万線フィルタから成る判別具２’を印刷物１上の印刷模様３’に重ね合わせ、正面から目視で観察した状態を図２８に示す。同心円万線フィルタの中心線７が、図２１における線Ｌ１’と一致する位置にあるとき、中心線７に位置するのは、画線５ａ’となっている。同心円万線フィルタの特性によって中心線７に位置する画線５ａ’が膨張して見えるため、目視では、図２８に示されたような図形の可視画像が発現する。また、同心円万線フィルタの中心線７が図２１における線Ｌ２’と一致し、図２９に示された位置にあるとき、中心線７に位置するのは、画線５ｂ’となっている。同心円万線フィルタの特性によって中心線７に位置する画線５ｂ’が膨張して見えるため、目視では、図２９に示されたような図形の可視画像が発現する。ここで、画線５ａ’と画線５ｂ’とはネガポジの関係にある。【００８３】
中心から放射状に形成された第１の画線群である主線４’と、主線４’の非画線部に画線５ａ’、画線５ｂ’、画線５ｃ’、画線５ｄ’から成る第２の画線群によって可視画像が形成される。第２の画線群は中心から所定のピッチの同心円形状に配列される。第２の画線群は、不可視画像のネガ及びポジの領域を形成し、不可視画像のネガ及びポジ領域のいずれか一方を形成する複数の第２の画線である画線５ａ’、他方を形成する複数の第３の画線である画線５ｂ’及び濃度の不均衡を緩和する複数の第４の画線である画線５ｃ’及び画線５ｄ’から成る。第２の画線である画線５ａ’の画線面積と第３の画像である画線５ｂ’の画線面積が同一又は略同一であり、第４の画線である画線５ｃ’及び画線５ｄ’は、第２の画線である画線５ａ’の画線面積又は第３の画線の画線面積である画線５ｂ’における半分又は略半分の画線面積から成る。第２の画線である画線５ａ’、第３の画線である画線５ｂ’及び第４の画線である画線５ｃ’及び画線５ｄ’は、規則的に配列された複数のアーチ形の画線ユニット内に形成される。複数のアーチ形の画線ユニットは、画線ユニットＡである第１の画線ユニット、画線ユニットＢである第２の画線ユニット、画線ユニットＣである第３の画線ユニット及び画線ユニットＤである第４の画線ユニットから成り、画線ユニットＡである第１の画線ユニット及び画線ユニットＢである第２の画線ユニットは同一の大きさである。画線ユニットＣである第３の画線ユニット及び画線ユニットＤである第４の画線ユニットは、画線ユニットＡである第１の画線ユニット及び画線ユニットＢである第２の画線ユニットよりも大きく、さらに、画線ユニットＡである第１の画線ユニット及び画線ユニットＢである第２の画線ユニットに対して同心円方向の中心方向に伸びた形状の画線ユニットから成る。画線ユニットＡは、画線５ａ’が同心円方向に所定の位置で形成され、画線ユニットＢは、画線５ｂ’が同心円方向に画線５ａ’が形成された位置に対して半ピッチ又は略半ピッチのずれを有する位置に配置され、画線ユニットＣは、画線５ａ’、画線５ｃ’及び画線５ｂ’が順次形成され、画線ユニットＤは、画線５ｂ’及び画線５ｄ’が順次形成される。画線ユニットＣである第３の画線ユニット又は画線ユニットＤである第４の画線ユニットは、不可視画像の輪郭を示す少なくとも一部に形成される。【００８４】
上述された実施の形態１乃至５の偽造防止印刷物の印刷方式は限定されることはないが、盛りを有する画線が形成可能な印刷方式で印刷することで印刷物の画線自体に指感性を有することができる。この盛りを有する画線は、１０〜１００μｍ程度の画線高さを有することが好ましく、印刷方式については、凹版印刷、スクリーン印刷、グラビア印刷が好ましい。最良な印刷方式としては、凹版印刷方式である。よって、銀行券、切手、収入印紙等の諸証券類の肖像、風景画等に適用可能である。なお、本明細書に記載されているユニットについては、実際の印刷物に形成されるものではなく、画線５ａ、画線５ｂ、画線５ｃ、画線５ｄの位置関係を説明するためのものである。【００８５】
次に、これまでに述べた実施の形態に、判別具を用いることなく印刷物の観察角度を９０°とは異なる任意の角度とすることで、判別具２を用いることなく視認することができる不可視画像を有する印刷物について説明する。図３０は、本発明の特徴である第１不可視画像８と第２不可視画像６を付与するための画線の立体的な構成を概念的に示した部分斜視図である。図３０に示されたように、印刷物１上に印刷模様３が形成されている。この印刷模様３は、等間隔で配置された画線幅ｗの等しい複数の主線４と、主線４の非画線部に形成する画線５ａ〜５ｄとで構成されている。さらに、印刷物１における印刷面からの盛り上がりの高さの異なる低画線部４ａと高画線部４ｂによって構成されている。より具体的に説明すると、図３１（ａ）の平面図のように、印刷物１を真上から観察した場合、低画線部４ａと高画線部４ｂとの盛り上がりの高さは認識されないが、実際には図３１（ｂ）の正面図のように、低画線部４ａと高画線部４ｂとの盛り上がりの高さが異なっている。すなわち、背景模様を構成する低画線部４ａに対し、高画線部４ｂで構成する領域を第１の不可視画像８として施すことができる。【００８６】
図３２は、図３０に示された印刷物１の側面図である。図３２に示されたように、観察者は基材に対して９０度と異なる任意の角度から成る視角１５をもって観察した際、低画線部４ａと高画線部４ｂの高さによって見え方の違いが現れる。低画線部４ａの視認長さ３ａよりも高画線部４ｂの視認長さ３ｂの方が長く見える。すなわち、図３３の斜視図に示されたように、印刷模様３において、低画線部４ａの視認長さ３ａよりも高画線部４ｂの視認長さ３ｂの方が長く見えることから、低画線部４ａより高画線部４ｂの方が高濃度で観察される。これにより、高画線部４ｂで構成された領域から成る第１不可視画像８が、斜めから観察することにより該領域が可視画像となって出現している。なお、印刷模様３における画線ピッチ並びに低画線部４ａと高画線部４ｂの高さに何ら制限はないが、低画線部４ａと高画線部４ｂの画線幅ｗは２００〜６００μｍで画線ピッチは３００〜８００μｍ、低画線部４ａの盛り高さは１０〜３０μｍで高画線部４ｂの盛り高さは２０〜６０μｍ程度が望ましい。低画線部４ａの盛りの高さと、高画線部４ｂの盛り高さの差は特に限定されることはないが、１０〜５０μｍ程度が好ましい。【００８７】
また、さらに、図３４に示されたように、印刷物１に判別具２を重ね合わせることによっても、容易に不可視画像を発現させて真偽性を判別することができる。印刷物１の印刷模様３を通常の可視条件において目視により観察すると、何ら変化のない画線模様となって視認される。そして、判別具２に設けられた一方向に沿って形成された万線フィルタ又はレンチキュラーレンズ等が所定の角度を持って印刷物１上に重ね合わさると、画線５ａ及び画線５ｂの配置によって施された第２不可視画像６が、ネガ状又はポジ状の可視画像となって発現する。また、画線５ａ及び画線５ｂの配置によって可視条件において目視により観察した場合に、濃度が不均衡となる。この場合、図５８に示すように画線の削除及び追加が行われる。画線の削除については、図５８(ａ)に示すように、画線ユニットＦの右側に画線ユニットＥが配置された場合、画線５ｂと画線５ａが隣接して配置されるため、濃度が濃く視認性される。そのため、図５８(ｂ)に示すように、画線ユニットＥにおける画線５ａが削除される（画線５ｂを削除しても良い。）。また、図５８(ｃ)に示すように、画線ユニットＥの画線５ａが削除されたことから、画線ユニットＥには、画線５ａ及び画線５ｂが存在しないため、濃度が淡く視認される。そのため、画線ユニットＥと隣接する画線ユニットＦにおける画線ｂと画線ユニットＥ´における画線５ａの中間の位置に、画線５ａ又は画線５ｂにおける半分又は略半分の画線面積率を有する画線５ｃの追加を行う。また、画線ユニットＥ´の右側に画線ユニットＦ´が配置された場合についても、画線ユニットの隣接部分に画線が存在しないため、濃度が淡く視認される。そのため、画線ユニットＥ´における画線５ａと画線ユニットＦ´における画線５ｂの中間の位置に、画線５ａ又は画線５ｂにおける半分又は略半分の画線面積率を有する画線５ｄの追加を行う。このことで、印刷物全体の濃度が不均衡となることを緩和することができる。【００８８】
図３５は、前述の濃度の不均衡を緩和する処理を行った状態の基本的な画線構成を部分的に拡大した説明図である。本発明は、図３５（ａ）〜（ｄ）に示された画線ユニットＡ〜Ｄの４つのユニットで構成される。画線ユニットＡ〜Ｄにおいて、画線５ａ〜ｄから成る画線群が所望の配置にて構成される。線Ｌ１〜４は、図３４に示された判別具２に備わった溝の方向であり、図３５では、例えば、４５度とし、寸法Ｓは、判別具２に備わった溝のピッチと等しい。図３５（ａ）〜（ｄ）に示された画線ユニットＡ〜Ｄが、印刷物の表面上において所望の規則をもって配置される。画線ユニットＡ、Ｂに対し画線ユニットＣ、Ｄは、画線４の長手方向において２倍の大きさである。図３５（ａ）に示す画線ユニットＡには、画線５ａが配置され、図３５（ｂ）に示す画線ユニットＢには、一対の画線から成る画線５ｂが配置され、図３５（ｃ）に示す画線ユニットＣには、画線５ａ、画線５ｃ及び一対の画線から成る画線５ｂの内、一方の画線が配置され、図３５（ｄ）に示す画線ユニットＤには、一対の画線から成る画線５ｂの内、他方の画線、画線５ｄ及び画線５ａが配置される。図３５（ａ）の画線ユニットＡに配置された画線５ａと、図３５（ｂ）の画線ユニットＢに配置された一対の画線から成る画線５ｂとは、画線面積が同一又は略同一である。なお、一対の画線から成る画線５ｂは、画線５ａが分割された画線である。また、図３５（ｃ）の画線ユニットＣに配置された画線５ｃは、同じく画線ユニットＣに配置された画線５ａ又は一対の画線から成る画線５ｂの半分又は略半分の画線面積である。さらに、画線５ｃは、画線ユニットＣに配置された画線５ａと一方の画線の画線５ｂの略中央に配置している。一方、図３５（ｄ）の画線ユニットＤに配置された画線５ｄは、同じく画線ユニットＤに配置された画線５ａ又は一対の画線から成る画線５ｂの半分又は略半分の画線面積である。さらに、画線５ｄは、画線ユニットＤに配置された他方の画線の画線５ｂと画線５ａの略中央に配置している。【００８９】
図３５（ａ）〜（ｄ）に示された画線ユニットＡ〜Ｄにおける画線５ａ〜５ｄの位置関係は、画線４の長手方向において「２：３：４」のいずれかの比をもって配置することができる。まず、図３５（ａ）に示す画線ユニットＡは、画線５ａが画線４の長手方向で「２：２」の比の位置、すなわち、画線ユニットＡの中心に画線５ａの中心が配置される。図３５（ｂ）に示す画線ユニットＢは、一対の画線５ｂが画線４の長手方向で「４」の比の位置に一対の画線５ｂが配置され、すなわち、画線ユニットＢの両側に一対の画線５ｂが配置される。また、図３５（ｂ）に示す画線ユニットＢの中心から等間隔に対向するように一対の画線５ｂが配置されても良い。図３５（ｃ）に示す画線ユニットＣは、画線５ａ、画線５ｃ、一方の画線の画線５ｂが画線４の長手方向で「２：３：３」の比の位置、すなわち、左側から画線５ａの中心が２の比をもって配置され、続いて画線５ｃの中心が３の比をもって配置され、さらに続いて他方の画線の画線５ｂが３の比をもって配置される。図３５（ｄ）に示す画線ユニットＤは、画線５ａ、画線５ｃ、他方の画線の画線５ｂが画線４の長手方向で「３：３：２」の比の位置、すなわち、左端に他方の画線の画線５ｂが配置され、続いて画線５ｄの中心が３の比をもって配置され、さらに続いて画線５ａの中心が３の比をもって配置される。【００９０】
図３５（ａ）〜（ｄ）に示された画線ユニットＡ〜Ｄにおける画線５ａ〜５ｄの形状は、図３５に示された形状に限るものではなく、それ以外の形状であっても良い。例えば、画線５ａ、５ｂと画線５ｃ、５ｄとが相似の楕円形であったり、また、画線５ａ、５ｂに対し、画線５ｃ、５ｄが、線Ｌ３及び線Ｌ４の線方向を軸に細めている楕円形であったり、さらに、画線５ａ、５ｂと画線５ｃ、５ｄとが、線Ｌ３及び線Ｌ４の線方向を軸に２：１の画線幅の比を有する平行四辺形であっても良い。すなわち、画線５ａ、５ｂに対し画線５ｃ、５ｄが半分又は略半分の画線面積率を成ものであれば、画線５ａ〜５ｄの形状は何ら限定するものではない。ただし、図３５に代表されるように、寸法Ｓによって隔たれた線Ｌ１及び線Ｌ２又は線Ｌ３及び線Ｌ４の線方向に伸長された図形であることが望ましい。【００９１】
図３６は、図３５（ａ）の画線ユニットＡと、図３５（ｂ）の画線ユニットＢを、印刷物上における印刷模様３中に、マトリックス状に縦横隙間なく、連続的に、かつ、規則的に配置される位置関係を示した説明図である。なお、この図３６では、第２不可視画像６が備わる部分が解るように太実線で簡易的に示したものである。さらに、画線ユニットＡと画線ユニットＢに備わった画線群の連続性を保つため、図３５（ｃ）に示された画線ユニットＣと、図３５（ｄ）に示された画線ユニットＤを、第２不可視画像６の輪郭となる少なくとも一部に配置する。この画線ユニットＣが配置される場所は、画線ユニットＡが左側で、画線ユニットＢが右側で水平方向（全ユニットが配置された際の画線４の長手方向）に隣接した条件の場所に画線ユニットＣが配置される。つまり、画線ユニットＣが配置される場所は、第２不可視画像６の輪郭となる左側に配置される。一方、画線ユニットＤが配置される場所は、画線ユニットＢが左側で、画線ユニットＡが右側で水平方向（図１に示された画線４の長手方向）に隣接した条件の場所に画線ユニットＤが配置される。つまり、画線ユニットＤが配置される場所は、第２不可視画像６の輪郭となる右側に配置される。【００９２】
この状態で、図３４に示されたように、例えば、レンチキュラーレンズから成る判別具２を印刷物１上の印刷模様３に重ね合わせ、正面から目視で観察することによって、印刷模様３に施されている第２不可視画像６を可視画像として発現させることができる。【００９３】
通常の目視では、印刷模様３全体が任意の図案、すなわち可視画像となって視認されるが、印刷模様３中に施されている第２不可視画像６は視認されない。判別具を印刷模様上の所定の位置に重ね合わせると、それまで視認できなかった第２不可視画像６が視認されるようになる。このような本実施の形態１による第２不可視画像６の視認効果の原理について、以下に説明する。【００９４】
印刷模様３に、所定の角度、より具体的には、図３５における線Ｌ１と各レンズの中心線とが一致するように、レンチキュラーレンズから成る判別具２を印刷物１上の印刷模様３に重ね合わせ、正面から目視で観察した状態を図３７及び図３８に示す。レンチキュラーレンズの中心線７が図３５における線Ｌ１と一致するように図３７（ａ）に示された位置にあるとき、中心線７に位置するのは、画線５ａとなっている。レンチキュラーレンズの特性によって中心線７に位置する画線５ａが膨張して見えるため、目視では図３７（ｂ）に示されたような図形の可視画像が発現する。また、レンチキュラーレンズの中心線７が図３５における線Ｌ２と一致し、図３８（ａ）に示された位置にあるとき、中心線７に位置するのは、画線５ｂとなっている。レンチキュラーレンズの特性によって中心線７に位置する画線５ｂが膨張して見えるため、目視では図３８（ｂ）に示されたような図形の可視画像が発現する。ここで、画線５ａと画線５ｂとはネガポジの関係にある。よって、第２不可視画像６がネガポジ状のどちらかに見える可視画像となって発現する。【００９５】
また、例えば、図３０乃至図３５における第２不可視画像６を奏する画線が、図５３の斜視図に示された第１の画線４に接する画線４’のような形状であっても良い。図３０に示された画線５ａ〜５ｄが着色された画線であるのに対し、図５３では、画線５ａ〜５ｄに相当する部分が画線４’における無着色の白空き部分となっている。すなわち、図３４の、判別具２によって第２不可視画像６を可視化するための基本的な画線構成を部分的に拡大した説明図に示されたように、図５４（ａ）〜（ｄ）に示された画線ユニットＡ〜Ｄの４つのユニットで構成される。画線ユニットＡ〜Ｄにおいて、画線４に接する画線４’における白空き部５ａ’〜ｄ’から成る画線群が、所望の配置にて構成される。線Ｌ１〜４は、図３４に示された判別具２に備わった溝の方向であり、図５４では、例えば、４５度とし、寸法Ｓは、判別具２に備わった溝のピッチと等しい。図５４（ａ）〜（ｄ）に示された画線ユニットＡ〜Ｄが、印刷物の表面上において所望の規則をもって配置される。画線ユニットＡ、Ｂに対し画線ユニットＣ、Ｄは、画線４の長手方向において２倍の大きさである。図５４（ａ）に示す画線ユニットＡには、白空き部５ａ’が配置され、図５４（ｂ）に示す画線ユニットＢには、一対の白空き部５ｂ’が配置され、図５４（ｃ）に示す画線ユニットＣには、白空き部５ａ’、白空き部５ｃ’及び一対の白空き部５ｂ’の内、一方の画線が配置され、図５４（ｄ）に示す画線ユニットＤには、一対の白空き部５ｂ’の内、他方の白空き部、白空き部５ｄ’及び白空き部５ａ’が配置される。図５４（ａ）の画線ユニットＡに配置された白空き部５ａ’と、図５４（ｂ）の画線ユニットＢに配置された一対の白空き部５ｂ’とは、空間面積が同一又は略同一である。なお、一対の白空き部５ｂ’は、白空き部５ａ’が分割された空間である。また、図５４（ｃ）の画線ユニットＣに配置された白空き部５ｃ’は、同じく画線ユニットＣに配置された白空き部５ａ’又は一対の白空き部５ｂ’の半分又は略半分の空間面積である。さらに、白空き部５ｃ’は、画線ユニットＣに配置された白空き部５ａ’と一方の白空き部５ｂ’の略中央に配置している。一方、図５４（ｄ）の画線ユニットＤに配置された白空き部５ｄ’は、同じく画線ユニットＤに配置された白空き部５ａ’又は一対の白空き部５ｂ’の半分又は略半分の空間面積である。さらに、白空き部５ｄ’は、画線ユニットＤに配置された他方の白空き部５ｂ’と白空き部５ａ’の略中央に配置している。【００９６】
図５４（ａ）〜（ｄ）に示された画線ユニットＡ〜Ｄにおける白空き部５ａ’〜５ｄ’の位置関係は、画線４の長手方向において「２：３：４」のいずれかの比をもって配置することができる。まず、図５４（ａ）に示す画線ユニットＡは、白空き部５ａ’が画線４の長手方向で「２：２」の比の位置、すなわち、画線ユニットＡの中心に白空き部５ａ’の中心が配置される。図５４（ｂ）に示す画線ユニットＢは、一対の白空き部５ｂ’が画線４の長手方向で「４」の比の位置に一対の白空き部５ｂ’が配置され、すなわち、画線ユニットＢの両側に一対の白空き部５ｂ’が配置される。また、図５４（ｂ）に示す画線ユニットＢの中心から等間隔に対向するように一対の白空き部５ｂ’が配置されても良い。図５４（ｃ）に示す画線ユニットＣは、白空き部５ａ’、白空き部５ｃ’、一方の白空き部５ｂ’が画線４の長手方向で「２：３：３」の比の位置、すなわち、左側から白空き部５ａ’の中心が２の比をもって配置され、続いて白空き部５ｃ’の中心が３の比をもって配置され、さらに続いて他方の白空き部５ｂ’が３の比をもって配置される。図５４（ｄ）に示す画線ユニットＤは、白空き部５ａ’、白空き部５ｃ’、他方の画線の白空き部５ｂ’が画線４の長手方向で「３：３：２」の比の位置、すなわち、左端に他方の白空き部５ｂ’が配置され、続いて白空き部５ｄ’の中心が３の比をもって配置され、さらに続いて白空き部５ａ’の中心が３の比をもって配置される。【００９７】
図５４（ａ）〜（ｄ）に示された画線ユニットＡ〜Ｄにおける白空き部５ａ’〜５ｄ’の形状は、図５４に示された形状に限るものではなく、それ以外の形状であっても良い。例えば、白空き部５ａ’、５ｂ’と白空き部５ｃ’、５ｄ’とが相似の楕円形であったり、また、白空き部５ａ’、５ｂ’に対し、白空き部５ｃ’、５ｄ’が、線Ｌ３及び線Ｌ４の線方向を軸に細めている楕円形であったり、さらに、白空き部５ａ’、５ｂ’と白空き部５ｃ’、５ｄ’とが、線Ｌ３及び線Ｌ４の線方向を軸に２：１の画線幅の比を有する平行四辺形であっても良い。すなわち、白空き部５ａ’、５ｂ’に対し白空き部５ｃ’、５ｄ’が半分又は略半分の画線面積率を成すものであれば、白空き部５ａ’〜５ｄ’の形状は何ら限定するものではない。ただし、図５４に代表されるように、寸法Ｓによって隔たれた線Ｌ１及び線Ｌ２、又は線Ｌ３及び線Ｌ４の線方向に伸長された図形であることが望ましい。【００９８】
さらに、図５４に示された画線ユニットＡ〜Ｄを、図５５に示されたように、印刷物上にマトリックス状に縦横隙間なく、連続的に、かつ、規則的に配置されることによって、図５５に示されたような印刷模様３となる。また、図５５は、画線４に低画線部４ａと高画線部４ｂが設けられている状態を示した説明図である。図５５（ａ）の平面図ように、印刷物１を真上から観察した場合、低画線部４ａと高画線部４ｂとの盛り上がりの高さは認識されないが、実際には図５５（ｂ）の正面図のように、低画線部４ａと高画線部４ｂとの盛り上がりの高さが異なっている。すなわち、背景模様を構成する低画線部４ａに対し、高画線部４ｂで構成する領域を第１不可視画像８として施すことができる。よって、高画線部４ｂで構成された領域から成る第１不可視画像８が、斜めから観察することにより該領域が可視画像となって出現される。【００９９】
さらに、印刷模様３に、所定の角度、より具体的には図５４における線Ｌ１と各レンズの中心線とが一致するように、レンチキュラーレンズから成る判別具２を印刷物１上の印刷模様３に重ね合わせ、正面から目視で観察した状態を図５６及び図５７に示す。レンチキュラーレンズの中心線７が、図５４における線Ｌ１と一致するように図５６（ａ）に示された位置にあるとき、目視では図５６（ｂ）に示されたような図形の可視画像が発現する。また、レンチキュラーレンズの中心線７が図５４における線Ｌ２と一致し、図５７（ａ）に示された位置にあるとき、目視では図５７（ｂ）に示されたような図形の可視画像が発現する。ここで、白空き部５ａ’と白空き部５ｂ’とはネガポジの関係にある。よって、第２不可視画像６がネガポジ状のどちらかに見える可視画像となって発現する。【０１００】
なお、本発明を実施するための最良の形態では、寸法Ｓが３４０μｍとし、印刷模様３がオフセット印刷によりコート紙に印刷されている。しかし、寸法Ｓ、印刷物１に用いられる印刷媒体は上質紙、コート紙等、何ら制限するものはなく、印刷模様３を印刷媒体に転写するための製版及び印刷方式も凹版印刷、スクリーン印刷等、素材を印刷面から盛り上がらせることが可能ならば何ら限定するものではない。【０１０１】
以下、本発明の実施の形態６〜９による偽造防止印刷物について、図面を用いて説明する。しかし、本発明は、以下に述べる実施の形態６〜９に限定されるものではなく、特許請求の範囲に記載された技術的思想の範囲内であれば、その他のいろいろな実施の形態が含まれる。【０１０２】
（６）実施の形態６
本実施の形態１は、上述された画線４に、さらなるデザイン効果をもたらしたものである。図３９に示されたように、基本的な画線構成は、図３１と同様であるが、画線４の正面から観察した際に、任意の形状を成す模様９が構成される部分の単位長さ当たりの画線面積率を変化させるように、画線４の画線幅を細く設定することにより、任意の形状を成す模様９を可視画像として視認することができる。また、図５９に示すように、画線４をレリーフ画線とすることで任意の形状を成す模様を形成することも可能である。【０１０３】
さらに、画線４は、印刷物１における印刷面からの盛り上がりの高さの異なる低画線部４ａと高画線部４ｂによって第１不可視画像８を構成している。観察者は図３２に示されたような基材に対して９０度と異なる任意の角度から成る視角１５をもって観察した際、低画線部４ａの視認長さ３ａよりも高画線部４ｂの視認長さ３ｂの方が長く見える。すなわち、図４０の斜視図に示されたように、印刷模様３において、低画線部４ａの視認長さ３ａよりも高画線部４ｂの視認長さ３ｂの方が長く見えることから、低画線部４ａより高画線部４ｂの方が高濃度で観察される。これにより、高画線部４ｂで構成された領域から成る第１不可視画像８が、斜めから観察することにより該領域が可視画像となって出現している。ただし、画線４の画線幅の変化が大きくなるにしたがって第１不可視画像８の視認性が悪くなるため、適度な加減が必要である。【０１０４】
（７）実施の形態７
上述の実施の形態６における画線ユニットは正方形を基本としているが、寸法Ｓが判別具２の万線フィルタ又はレンチキュラーレンズのピッチと合致していれば画線ユニットの四辺の寸法は任意である。すなわち、図４１（ａ）〜（ｃ）に示されるように、画線５ａの角度χがそれぞれ異なる場合、画線ユニットの縦の長さは、ｖ＝Ｓ・ｓｅｃ（χ）で算出でき、横の長さは、ｈ＝Ｓ・ｃｓｃ（χ）で算出することができる。例えば、図４１（ａ）は、角度χが４５度であるため、レンチキュラーレンズのピッチの寸法Ｓが１９５μｍの場合、縦Ｖ及び横ｈともに同じ２７６μｍとなる。また、図４１（ｂ）は、角度χ’が３５度であるため、レンチキュラーレンズのピッチの寸法Ｓが１９５μｍの場合、縦ｖ’が２３９μｍで、横ｈ’が３４１μｍとなる。さらに、図４１（ｃ）は、角度χ”が６０度であるため、レンチキュラーレンズのピッチの寸法Ｓが１９５μｍの場合、縦ｖ”が３９１μｍで、横ｈ”が２２６μｍとなる。なお、図３５(ｃ、ｄ)に示す画線ユニットＣ及び画線ユニットＤについては、実施の形態６乃至実施の形態９に倣って、横ｈが図４１（ａ）〜（ｃ）それぞれに倍の長さになる。このように、画線５ａの角度を変えることにより、画線ユニットにおける縦の長さ、すなわち図３０に示された印刷模様３における横万線状の配置される画線４の間隔Ｓを任意に調整することができる。これにより、画線４の画線幅ｗも適時調整することが可能であり、さらに、図３３の斜視図に示されたような、印刷模様３において、低画線部４ａと高画線部４ｂの視認長さの関係も適時調整することができることから、第１不可視画像８の最適な視認性を奏することを可能とすることができる。【０１０５】
なお、実施の形態６又は７によれば、画線４を用いて自由度が高く意匠性を有する鮮明な可視画像を形成することができるため、有価証券等の印刷物においても有用である。また、画線４における高画線部４ｂで構成された領域から成る第１不可視画像８が、斜めから観察することにより該領域が可視画像となって出現させることが可能である。さらに、印刷物１上に判別具２を重ね合わせることによって、画線５ａ及び一対の画線５ｂで形成される第２不可視画像６を容易に、かつ、鮮明に発現させることが可能である。【０１０６】
（８）実施の形態８
上述の実施の形態６及び７は、画線４において低画線部４ａと高画線部４ｂといった２段階の高さを設けているが、画線４の高さ段階については２段階に限らず、無数の連続的な高さ段階を備えても良い。図４４は、本実施の形態８の特徴である第１不可視画像８と第２不可視画像６を付与するための画線の立体的な構成を概念的に示した部分斜視図である。図４４に示されたように、印刷物１上に印刷模様３が形成されている。この印刷模様３は、等間隔で配置された画線幅ｗの等しい複数の画線４と、画線幅が２：１の比の関係を成す画線５ａ〜５ｄとで構成されている。さらに、印刷物１における印刷面からの盛り上がりの高さの異なる低画線部４ａと第１高画線部４ｂ、第２高画線部４ｃによって構成されている。この第１高画線部４ｂ、第２高画線部４ｃの盛り上がりの高さは、第１高画線部４ｂ＜第２高画線部４ｃの関係にある。【０１０７】
図４５は、印刷物１を真上から観察した場合の平面図である。画線４は低画線部４ａと段階的に高さの異なる第１高画線部４ｂ〜第５高画線部４ｆが施されている。背景模様を構成する低画線部４ａに対し、高さの異なる第１高画線部４ｂ〜第５高画線部４ｆで構成する領域を第１不可視画像８として施すことができる。この第１高画線部４ｂ〜第５高画線部４ｆの盛り上がりの高さは、第１高画線部４ｂ＜第２高画線部４ｃ＜第３高画線部４ｄ＜第４高画線部４ｅ＜第５高画線部４ｆの関係にある。【０１０８】
印刷物１を、観察者が任意の角度から成る視角１５をもって観察した際、上述の図３２で示されたように、低画線部４ａと高画線部４ｂの高さによって見え方の違いが現れる。ただし、本実施の形態８の印刷物１では、低画線部４ａと高さの異なる第１高画線部４ｂ〜第５高画線部４ｆで構成しているため、図３２で示された視認長さ３ｂは、第１高画線部４ｂよりも第５高画線部４ｆの方が長く見える。すなわち、図４６の斜視図に示されたように、印刷模様３において、低画線部４ａの視認長さ３ａよりも高画線部４ｂの視認長さ３ｂの方が長く見えることから、低画線部４ａより高画線部４ｂの方が高濃度で観察される。これにより、第１高画線部４ｂ〜第５高画線部４ｆで構成された領域において斜めから観察することにより濃淡差を有する可視画像となって出現し、一部が顕像化した第１不可視画像８となっている。さらに、観察者が低い角度の視角１５を持って観察した場合、図４７に示されたように、第１高画線部４ｂ〜第５高画線部４ｆで構成された領域がすべて顕像化された第１不可視画像８となる。【０１０９】
なお、本実施の形態８では、第１高画線部４ｂ〜第５高画線部４ｆを５段階としているが、高さ段階に何ら制限はなく、高さ段階数を増やすことによって、第１不可視画像８を連続階調画像的に表現することもできる。【０１１０】
（９）実施の形態９
実施の形態６〜８では、第１の不可視画像と第２の不可視画像とが、それぞれ画線４と画線５ａ〜５ｄとに分かれて作用しているが、第１の不可視画像と第２の不可視画像とを画線４に含ませても良い。図４８は、第１不可視画像８と第２不可視画像６を付与するための画線の立体的な構成を概念的に示した部分斜視図である。図４８に示されたように、印刷物１上に印刷模様３が形成されている。この印刷模様３は、等間隔で配置された画線幅ｗ１の等しい複数の画線４で構成されている。この画線４は、第１の不可視画像が備わった部位として、印刷物１における印刷面からの盛り上がりの高さの異なる低画線部４ａと高画線部４ｂによって構成され、第２の不可視画像が備わった部位として、画線４の長手方向と直角に配置した画線幅ｗ２を成す画線部１０ａ及び１０ｂが画線４に接して構成されている。【０１１１】
図４９は、判別具２によって第２不可視画像６を可視化するための基本的な画線構成を部分的に拡大した説明図である。本発明は、図４９（ａ）及び図４９（ｂ）に示された画線ユニットＥ及び画線ユニットＦの２つのユニットで構成される。画線ユニットＥ及び画線ユニットＦにおいて、画線部１０ａ及び画線部１０ｂが所望の配置にて構成される。線Ｌ１及び線Ｌ２は、図３４に示された判別具２に備わった溝の方向であり、図４９では略９０度とし、画線ユニットＥ及び画線ユニットＦの全長は、判別具２に備わった溝のピッチと等しい。図４９（ａ）及び図４９（ｂ）に示された画線ユニットＥ及び画線ユニットＦが、印刷物の表面上において所望の規則をもって配置される。図４９（ａ）及び図４９（ｂ）に示された画線ユニットＥ及び画線ユニットＦにおける画線部１０ａ及び画線部１０ｂの形状は、図４９に示された形状に限るものではなく、それ以外の形状であっても良い。【０１１２】
図５０は、図４９（ａ）の画線ユニットＥと、図４９（ｂ）の画線ユニットＦを、印刷物上における印刷模様３中に、マトリックス状に縦横隙間なく、連続的に、かつ、規則的に配置される位置関係を示した説明図である。なお、この図５０では、第２不可視画像６が備わる部分が分かるように太実線で簡易的に示したものである。【０１１３】
図５１は、画線４に低画線部４ａと高画線部４ｂが設けられている状態を示した説明図である。図５１（ａ）の平面図ように、印刷物１を真上から観察した場合、低画線部４ａと高画線部４ｂとの盛り上がりの高さは認識されないが、実際には図５１（ｂ）の正面図のように、低画線部４ａと高画線部４ｂとの盛り上がりの高さが異なっている。すなわち、背景模様を構成する低画線部４ａに対し、高画線部４ｂで構成する領域を第１不可視画像８として施すことができる。よって、実施の形態６〜８と同様に、高画線部４ｂで構成された領域から成る第１不可視画像８が、斜めから観察することにより該領域が可視画像となって出現される。【０１１４】
さらに、印刷模様３に、線Ｌ１と各レンズの中心線とが一致するように、レンチキュラーレンズから成る判別具２を印刷物１上の印刷模様３に重ね合わせ、正面から目視で観察した状態を図５２に示す。レンチキュラーレンズの中心線７が、図４９（ａ）における線Ｌ１と一致するように図５２（ａ）に示された位置にあるとき、中心線７に位置するのは、画線部１０ａとなっている。レンチキュラーレンズの特性によって中心線７に位置する画線部１０ａが膨張して見えるため、目視では、図５２（ｂ）に示されたようなポジ状の図形の可視画像が発現する。また、レンチキュラーレンズの中心線７が、図４９（ｂ）における線Ｌ２と一致すると、目視ではネガ状の図形の可視画像が発現する。すなわち、第２不可視画像６がネガポジ状のどちらかに見える可視画像となって発現する。
【符号の説明】
【０１１５】
１          印刷物
２          判別具
３          印刷模様
４          主線
４’          白空き部を形成する画線
４ａ          低画線部
４ｂ          高画線部
４ｃ          高画線部
４ｄ          高画線部
４ｅ          高画線部
４ｆ          高画線部
５          副線
５ａ          画線
５ｂ          画線
５ｃ          画線
５ｄ          画線
５ａ’          白空き部
５ｂ’          白空き部
５ｃ’          白空き部
５ｄ’          白空き部
６          不可視画像
７          中心線
８          不可視画像
９          模様
１０ａ          画線部
１０ｂ          画線部
１１          印刷物
１２          印刷模様
１３          画線
１３          画線群
１４          画線群
１５          視角
Ａ          画線ユニット
Ｂ          画線ユニット
Ｃ          画線ユニット
Ｄ          画線ユニット
Ｅ          画線ユニット
Ｅ´          画線ユニット
Ｆ          画線ユニット
Ｆ´          画線ユニット
Ｌ１          線
Ｌ２          線
Ｌ３          線
Ｌ４          線
Ｓ          寸法
ｗ          画線幅
ｗ１          画線幅
ｗ２          画線幅
【図１】
2010038824.tif 000003
【図２】
2010038824.tif 000004
【図３】
2010038824.tif 000005
【図４】
2010038824.tif 000006
【図５】
2010038824.tif 000007
【図６】
2010038824.tif 000008
【図７】
2010038824.tif 000009
【図８】
2010038824.tif 000010
【図９】
2010038824.tif 000011
【図１０】
2010038824.tif 000012
【図１１】
2010038824.tif 000013
【図１２】
2010038824.tif 000014
【図１３】
2010038824.tif 000015
【図１４】
2010038824.tif 000016
【図１５】
2010038824.tif 000017
【図１６】
2010038824.tif 000018
【図１７】
2010038824.tif 000019
【図１８】
2010038824.tif 000020
【図１９】
2010038824.tif 000021
【図２０】
2010038824.tif 000022
【図２１】
2010038824.tif 000023
【図２２】
2010038824.tif 000024
【図２３】
2010038824.tif 000025
【図２４】
2010038824.tif 000026
【図２５】
2010038824.tif 000027
【図２６】
2010038824.tif 000028
【図２７】
2010038824.tif 000029
【図２８】
2010038824.tif 000030
【図２９】
2010038824.tif 000031
【図３０】
2010038824.tif 000032
【図３１】
2010038824.tif 000033
【図３２】
2010038824.tif 000034
【図３３】
2010038824.tif 000035
【図３４】
2010038824.tif 000036
【図３５】
2010038824.tif 000037
【図３６】
2010038824.tif 000038
【図３７】
2010038824.tif 000039
【図３８】
2010038824.tif 000040
【図３９】
2010038824.tif 000041
【図４０】
2010038824.tif 000042
【図４１】
2010038824.tif 000043
【図４２】
2010038824.tif 000044
【図４３】
2010038824.tif 000045
【図４４】
2010038824.tif 000046
【図４５】
2010038824.tif 000047
【図４６】
2010038824.tif 000048
【図４７】
2010038824.tif 000049
【図４８】
2010038824.tif 000050
【図４９】
2010038824.tif 000051
【図５０】
2010038824.tif 000052
【図５１】
2010038824.tif 000053
【図５２】
2010038824.tif 000054
【図５３】
2010038824.tif 000055
【図５４】
2010038824.tif 000056
【図５５】
2010038824.tif 000057
【図５６】
2010038824.tif 000058
【図５７】
2010038824.tif 000059
【図５８】
2010038824.tif 000060
【図５９】
2010038824.tif 000061
【図６０】
2010038824.tif 000062
【図６１】
2010038824.tif 000063
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
所定のピッチで第１の方向に配列された第１の画線群と、前記第１の画線群の非画線部に第２の画線群によって可視画像が形成され、
前記第２の画線群は前記第１の画線群に対して第２の方向に配列され、
前記第２の画線群は、判別具の介在により観察される不可視画像を形成し、
前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、
前記第２の画線の画線面積と前記第３の画像の画線面積が同一又は略同一であり、前記第４の画線は、前記第２の画線の画線面積又は前記第３の画線の画線面積における半分又は略半分の画線面積から成り、
前記第２の画線、前記第３の画線及び前記第４の画線は、前記第１の方向に沿って規則的に配列された複数の画線ユニット内に形成され、
前記複数の画線ユニットは、第１の画線ユニット、第２の画線ユニット、第３の画線ユニット及び第４の画線ユニットから成り、第１の画線ユニット及び第２の画線ユニットは同一の大きさであり、
前記第３の画線ユニット及び前記第４の画線ユニットは、前記第１の画線ユニット又は前記第２の画線ユニットに対して前記第１の方向の方向に２倍の大きさの画線ユニットから成り、
前記第１の画線ユニットは、前記第２の画線が前記第１の画線ユニットの中心を通るように形成され、
前記第２の画線ユニットは、中心を境に均等に分割された一対の前記第３の画線が前記第２の画線ユニットの前記第１の方向における両端の中心の位置に前記分割された前記第３の画線の中心が接する位置に形成され、
前記第３の画線ユニットは、前記第２の画線、前記第４の画線及び前記第３の画線の内、前記一対の一方の画線が順次形成され、
前記第４の画線ユニットは、前記第３の画線の内、前記一対の他方の画線、前記第４の画線及び前記第２の画線が順次形成され、
前記不可視画像の輪郭を示す位置において、前記第１の方向に沿って前記第１の画線ユニットが左側、前記第２の画線ユニットが右側に配置される場合は、その間に前記第１の方向に沿って前記第３の画線ユニットが形成され、前記第１の方向に沿って前記第２の画線ユニットが左側、前記第１の画線ユニットが右側に配置される場合は、その間に前記第１の方向に沿って前記第４の画線ユニットが形成されたことを特徴とする偽造防止印刷物。
【請求項２】
前記不可視画像の輪郭に形成される前記第３の画線ユニットは、前記第１の方向に沿って第１の画線ユニットの一方の側に配置され、
前記不可視画像の輪郭に形成される前記第４の画線ユニットは、前記第１の方向に沿って第１の画線ユニットの他方の側に配置されることを特徴とする請求項１記載の偽造防止印刷物。
【請求項３】
前記第２の画線、前記第３の画線及び前記第４の画線は前記第２の方向に隣接される前記各画線ユニットに跨って一本の線として形成されることを特徴とする請求項１又は２記載の偽造防止印刷物。
【請求項４】
前記第１の画線ユニット及び前記第２の画線ユニットにおける前記第１の方向の幅の割合を４とし、前記第３の画線ユニット及び前記第４の画線ユニットにおける前記第１の方向の幅の割合を８とした場合に、
前記第１の画線ユニットに形成される前記第２の画線は、前記第１の方向で「２：２」の比の位置である前記第１の画線ユニットの中心に前記第２の画線の中心が一致するように配置され、
前記第２の画線ユニットに形成される前記第３の画線は、前記第１の方向で「４」の比の位置である前記第２の画線ユニットの両側に対向するように一対の画線として前記第３の画線が配置され、
前記第３の画線ユニットに形成される前記第２の画線、前記第４の画線及び前記第３の画線の内、前記一対の一方の画線は、前記第１の方向で「２：３：３」の比の位置に一方の側から前記第２の画線の中心が２の比をもって配置され、前記第４の画線は、前記第２の画線の中心から３の比をもって配置され、前記第３の画線の内、前記一対の一方の画線は、前記第４の画線の中心から３の比をもって配置され、
前記第４の画線ユニットに形成される前記第３の画線の内、前記一対の他方の画線、前記第４の画線及び前記第２の画線は、前記第１の方向で「３：３：２」の比の位置に一方の側から前記第３の画線の内、前記一対の一方の画線が一方の端に配置され、前記第４の画線の中心が３の比をもって配置され、前記第２の画線は、前記第４の画線の中心から３の比をもって配置されることを特徴とする請求項１乃至３項のいずれか１項記載の偽造防止印刷物。
【請求項５】
前記第２の画線、前記第３の画線及び前記第４の画線は、三角形状であることを特徴とする請求項１乃至４記載のいずれか１項記載の偽造防止印刷物。
【請求項６】
中心から放射状に形成された第１の画線群と、前記第１の画線群の非画線部に第２の画線群によって可視画像が形成され、
前記第２の画線群は前記中心から所定のピッチの同心円形状に配列され、
前記第２の画線群は、判別具の介在による観察される不可視画像を形成し、
前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、
前記第２の画線の画線幅と前記第３の画像の画線幅が同一又は略同一であり、前記第４の画線は、前記第２の画線の画線幅又は前記第４の画線の画線幅における半分又は略半分の画線幅からなり、
前記第２の画線、前記第３の画線及び前記第４の画線は、前記中心から放射線方向に沿って規則的に配列された複数のアーチ形の画線ユニット内に形成され、
前記複数のアーチ型画線ユニットは、第１の画線ユニット、第２の画線ユニット、第３の画線ユニット及び第４の画線ユニットから成り、隣接する第１の画線ユニット及び第２の画線ユニットは同一の大きさであり、
前記第３の画線ユニット及び前記第４の画線ユニットは、隣接する前記第１の画線ユニット及び前記第２の画線ユニットよりも大きく、さらに、前記第１の画線ユニット及び前記第２の画線ユニットに対して前記同心円方向の前記中心方向に伸びた形状の画線ユニットから成り、
前記第１の画線ユニットは、前記第２の画線が前記同心円方向に所定の位置で形成され、
前記第２の画線ユニットは、前記第３の画線が前記同心円方向に前記第２の画線が形成された位置に対して半ピッチ又は略半ピッチのずれを有する位置に配置され、
前記第３の画線ユニットは、前記第２の画線、前記第４の画線及び前記第３の画線が順次形成され、前記第４の画線ユニットは、前記第３の画線及び前記第４の画線が順次形成され、
前記不可視画像の輪郭を示す位置において、前記中心に対し前記放射線方向に沿って前記第１の画線ユニットが外側、前記第２の画線ユニットが内側に配置される場合は、その間に前記放射線方向に沿って前記第３の画線ユニットが形成され、前記中心に対し前記放射線方向に沿って前記第２の画線ユニットが外側、前記第１の画線ユニットが内側に配置される場合は、その間に前記放射線方向に沿って前記第４の画線ユニットが形成されたことを特徴とする偽造防止印刷物。
【請求項７】
前記第１の画線群及び前記第２の画線群が盛りを有する画線で形成されることを特徴とする請求項１乃至６いずれか１項記載の偽造防止印刷物。
【手続補正２】
【補正対象書類名】明細書
【補正対象項目名】００２５
【補正方法】変更
【補正の内容】
【００２５】
本発明の偽造防止印刷物は、所定のピッチで第１の方向に配列された第１の画線群と、前記第１の画線群の非画線部に第２の画線群によって可視画像が形成され、前記第２の画線群は前記第１の画線群に対して第２の方向に配列され、前記第２の画線群は、判別具の介在により観察される不可視画像を形成し、前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、前記第２の画線の画線面積と前記第３の画像の画線面積が同一又は略同一であり、前記第４の画線は、前記第２の画線の画線面積又は前記第３の画線の画線面積における半分又は略半分の画線面積から成り、前記第２の画線、前記第３の画線及び前記第４の画線は、前記第１の方向に沿って規則的に配列された複数の画線ユニット内に形成され、前記複数の画線ユニットは、第１の画線ユニット、第２の画線ユニット、第３の画線ユニット及び第４の画線ユニットから成り、第１の画線ユニット及び第２の画線ユニットは同一の大きさであり、前記第３の画線ユニット及び前記第４の画線ユニットは、前記第１の画線ユニット又は前記第２の画線ユニットに対して前記第１の方向の方向に２倍の大きさの画線ユニットから成り、前記第１の画線ユニットは、前記第２の画線が前記第１の画線ユニットの中心を通るように形成され、前記第２の画線ユニットは、中心を境に均等に分割された一対の前記第３の画線が前記第２の画線ユニットの前記第１の方向における両端の中心の位置に前記分割された前記第３の画線の中心が接する位置に形成され、前記第３の画線ユニットは、前記第２の画線、前記第４の画線及び前記第３の画線の内、前記一対の一方の画線が順次形成され、前記第４の画線ユニットは、前記第３の画線の内、前記一対の他方の画線、前記第４の画線及び前記第２の画線が順次形成され、前記不可視画像の輪郭を示す位置において、前記第１の方向に沿って前記第１の画線ユニットが左側、前記第２の画線ユニットが右側に配置される場合は、その間に前記第１の方向に沿って前記第３の画線ユニットが形成され、前記第１の方向に沿って前記第２の画線ユニットが左側、前記第１の画線ユニットが右側に配置される場合は、その間に前記第１の方向に沿って前記第４の画線ユニットが形成されたことを特徴とする。
【手続補正３】
【補正対象書類名】明細書
【補正対象項目名】００３０
【補正方法】変更
【補正の内容】
【００３０】
また、本発明の偽造防止印刷物は、中心から放射状に形成された第１の画線群と、前記第１の画線群の非画線部に第２の画線群によって可視画像が形成され、前記第２の画線群は前記中心から所定のピッチの同心円形状に配列され、前記第２の画線群は、判別具の介在による観察される不可視画像を形成し、前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、前記第２の画線の画線幅と前記第３の画像の画線幅が同一又は略同一であり、前記第４の画線は、前記第２の画線の画線幅又は前記第４の画線の画線幅における半分又は略半分の画線幅からなり、前記第２の画線、前記第３の画線及び前記第４の画線は、前記中心から放射線方向に沿って規則的に配列された複数のアーチ形の画線ユニット内に形成され、前記複数のアーチ型画線ユニットは、第１の画線ユニット、第２の画線ユニット、第３の画線ユニット及び第４の画線ユニットから成り、隣接する第１の画線ユニット及び第２の画線ユニットは同一の大きさであり、前記第３の画線ユニット及び前記第４の画線ユニットは、隣接する前記第１の画線ユニット及び前記第２の画線ユニットよりも大きく、さらに、前記第１の画線ユニット及び前記第２の画線ユニットに対して前記同心円方向の前記中心方向に伸びた形状の画線ユニットから成り、前記第１の画線ユニットは、前記第２の画線が前記同心円方向に所定の位置で形成され、前記第２の画線ユニットは、前記第３の画線が前記同心円方向に前記第２の画線が形成された位置に対して半ピッチ又は略半ピッチのずれを有する位置に配置され、前記第３の画線ユニットは、前記第２の画線、前記第４の画線及び前記第３の画線が順次形成され、前記第４の画線ユニットは、前記第３の画線及び前記第４の画線が順次形成され、  前記不可視画像の輪郭を示す位置において、前記中心に対し前記放射線方向に沿って前記第１の画線ユニットが外側、前記第２の画線ユニットが内側に配置される場合は、その間に放射線方向に沿って前記第３の画線ユニットが形成され、前記中心に対し前記放射線方向に沿って前記第２の画線ユニットが外側、前記第１の画線ユニットが内側に配置される場合は、その間に前記放射線方向に沿って前記第４の画線ユニットが形成されたことを特徴とする。
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
所定のピッチで第１の方向に配列された第１の画線群と、前記第１の画線群の非画線部に第２の画線群によって可視画像が形成され、
前記第２の画線群は前記第１の画線群に対して第２の方向に配列され、
前記第２の画線群は、判別具の介在により観察される不可視画像を形成し、
前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、
前記第２の画線の画線面積と前記第３の画像の画線面積が同一又は略同一であり、前記第４の画線は、前記第２の画線の画線面積又は前記第３の画線の画線面積における半分又は略半分の画線面積から成り、
前記第２の画線、前記第３の画線及び前記第４の画線は、前記第１の方向に沿って規則的に配列された複数の画線ユニット内に形成され、
前記複数の画線ユニットは、第１の画線ユニット、第２の画線ユニット、第３の画線ユニット及び第４の画線ユニットから成り、第１の画線ユニット及び第２の画線ユニットは同一の大きさであり、
前記第３の画線ユニット及び前記第４の画線ユニットは、前記第１の画線ユニット又は前記第２の画線ユニットに対して前記第１の方向の方向に２倍の大きさの画線ユニットから成り、
前記第１の画線ユニットは、前記第２の画線が前記第１の画線ユニットの中心を通るように形成され、
前記第２の画線ユニットは、中心を境に均等に分割された一対の前記第３の画線が前記第２の画線ユニットの前記第１の方向における両端の中心の位置に前記分割された前記第３の画線の中心が接する位置に形成され、
前記第３の画線ユニットは、前記第２の画線、前記第４の画線及び前記第３の画線の内、前記一対の一方の画線が第１の方向に沿って左側から右側に順次形成され、
前記第４の画線ユニットは、前記第３の画線の内、前記一対の他方の画線、前記第４の画線及び前記第２の画線が第１の方向に沿って左側から右側に順次形成され、
前記不可視画像の輪郭を示す位置において、前記第１の方向に沿って前記第１の画線ユニットが左側、前記第２の画線ユニットが右側に配置される場合は、その間に前記第１の方向に沿って前記第３の画線ユニットが形成され、前記第１の方向に沿って前記第２の画線ユニットが左側、前記第１の画線ユニットが右側に配置される場合は、その間に前記第１の方向に沿って前記第４の画線ユニットが形成されたことを特徴とする偽造防止印刷物。
【請求項２】
前記不可視画像の輪郭に形成される前記第３の画線ユニットは、前記第１の方向に沿って第１の画線ユニットの一方の側に配置され、
前記不可視画像の輪郭に形成される前記第４の画線ユニットは、前記第１の方向に沿って第１の画線ユニットの他方の側に配置されることを特徴とする請求項１記載の偽造防止印刷物。
【請求項３】
前記第２の画線、前記第３の画線及び前記第４の画線は前記第２の方向に隣接される前記各画線ユニットに跨って一本の線として形成されることを特徴とする請求項１又は２記載の偽造防止印刷物。
【請求項４】
前記第１の画線ユニット及び前記第２の画線ユニットにおける前記第１の方向の幅の割合を４とし、前記第３の画線ユニット及び前記第４の画線ユニットにおける前記第１の方向の幅の割合を８とした場合に、
前記第１の画線ユニットに形成される前記第２の画線は、前記第１の方向で「２：２」の比の位置である前記第１の画線ユニットの中心に前記第２の画線の中心が一致するように配置され、
前記第２の画線ユニットに形成される前記第３の画線は、前記第１の方向で「４」の比の位置である前記第２の画線ユニットの両側に対向するように一対の画線として前記第３の画線が配置され、
前記第３の画線ユニットに形成される前記第２の画線、前記第４の画線及び前記第３の画線の内、前記一対の一方の画線は、前記第１の方向で「２：３：３」の比の位置に一方の側から前記第２の画線の中心が２の比をもって配置され、前記第４の画線は、前記第２の画線の中心から３の比をもって配置され、前記第３の画線の内、前記一対の一方の画線は、前記第４の画線の中心から３の比をもって配置され、
前記第４の画線ユニットに形成される前記第３の画線の内、前記一対の他方の画線、前記第４の画線及び前記第２の画線は、前記第１の方向で「３：３：２」の比の位置に一方の側から前記第３の画線の内、前記一対の一方の画線が一方の端に配置され、前記第４の画線の中心が３の比をもって配置され、前記第２の画線は、前記第４の画線の中心から３の比をもって配置されることを特徴とする請求項１乃至３項のいずれか１項記載の偽造防止印刷物。
【請求項５】
前記第２の画線、前記第３の画線及び前記第４の画線は、三角形状であることを特徴とする請求項１乃至４記載のいずれか１項記載の偽造防止印刷物。
【請求項６】
中心から放射状に形成された第１の画線群と、前記第１の画線群の非画線部に第２の画線群によって可視画像が形成され、
前記第２の画線群は前記中心から所定のピッチの同心円形状に配列され、
前記第２の画線群は、判別具の介在による観察される不可視画像を形成し、
前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、
前記第２の画線の画線幅と前記第３の画像の画線幅が同一又は略同一であり、前記第４の画線は、前記第２の画線の画線幅又は前記第４の画線の画線幅における半分又は略半分の画線幅からなり、
前記第２の画線、前記第３の画線及び前記第４の画線は、前記中心から放射線方向に沿って規則的に配列された複数のアーチ形の画線ユニット内に形成され、
前記複数のアーチ型画線ユニットは、第１の画線ユニット、第２の画線ユニット、第３の画線ユニット及び第４の画線ユニットから成り、隣接する第１の画線ユニット及び第２の画線ユニットは同一の大きさであり、
前記第３の画線ユニット及び前記第４の画線ユニットは、隣接する前記第１の画線ユニット及び前記第２の画線ユニットよりも大きく、さらに、前記第１の画線ユニット及び前記第２の画線ユニットに対して前記同心円方向の前記中心方向に伸びた形状の画線ユニットから成り、
前記第１の画線ユニットは、前記第２の画線が前記同心円方向に所定の位置で形成され、
前記第２の画線ユニットは、前記第３の画線が前記同心円方向に前記第２の画線が形成された位置に対して半ピッチ又は略半ピッチのずれを有する位置に配置され、
前記第３の画線ユニットは、前記第２の画線、前記第４の画線及び前記第３の画線が外側から前記中心へ向かって前記同心円形状に順次形成され、前記第４の画線ユニットは、前記第３の画線及び前記第４の画線が外側から前記中心へ向かって前記同心円形状に順次形成され、
前記不可視画像の輪郭を示す位置において、前記中心に対し前記放射線方向に沿って前記第１の画線ユニットが外側、前記第２の画線ユニットが内側に配置される場合は、その間に前記放射線方向に沿って前記第３の画線ユニットが形成され、前記中心に対し前記放射線方向に沿って前記第２の画線ユニットが外側、前記第１の画線ユニットが内側に配置される場合は、その間に前記放射線方向に沿って前記第４の画線ユニットが形成されたことを特徴とする偽造防止印刷物。
【請求項７】
前記第１の画線群及び前記第２の画線群が盛りを有する画線で形成されることを特徴とする請求項１乃至６いずれか１項記載の偽造防止印刷物。
【手続補正２】
【補正対象書類名】明細書
【補正対象項目名】００２５
【補正方法】変更
【補正の内容】
【００２５】
本発明の偽造防止印刷物は、所定のピッチで第１の方向に配列された第１の画線群と、前記第１の画線群の非画線部に第２の画線群によって可視画像が形成され、前記第２の画線群は前記第１の画線群に対して第２の方向に配列され、前記第２の画線群は、判別具の介在により観察される不可視画像を形成し、前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、前記第２の画線の画線面積と前記第３の画像の画線面積が同一又は略同一であり、前記第４の画線は、前記第２の画線の画線面積又は前記第３の画線の画線面積における半分又は略半分の画線面積から成り、前記第２の画線、前記第３の画線及び前記第４の画線は、前記第１の方向に沿って規則的に配列された複数の画線ユニット内に形成され、前記複数の画線ユニットは、第１の画線ユニット、第２の画線ユニット、第３の画線ユニット及び第４の画線ユニットから成り、第１の画線ユニット及び第２の画線ユニットは同一の大きさであり、前記第３の画線ユニット及び前記第４の画線ユニットは、前記第１の画線ユニット又は前記第２の画線ユニットに対して前記第１の方向の方向に２倍の大きさの画線ユニットから成り、前記第１の画線ユニットは、前記第２の画線が前記第１の画線ユニットの中心を通るように形成され、前記第２の画線ユニットは、中心を境に均等に分割された一対の前記第３の画線が前記第２の画線ユニットの前記第１の方向における両端の中心の位置に前記分割された前記第３の画線の中心が接する位置に形成され、
前記第３の画線ユニットは、前記第２の画線、前記第４の画線及び前記第３の画線の内、前記一対の一方の画線が第１の方向に沿って左側から右側に順次形成され、前記第４の画線ユニットは、前記第３の画線の内、前記一対の他方の画線、前記第４の画線及び前記第２の画線が第１の方向に沿って左側から右側に順次形成され、前記不可視画像の輪郭を示す位置において、前記第１の方向に沿って前記第１の画線ユニットが左側、前記第２の画線ユニットが右側に配置される場合は、その間に前記第１の方向に沿って前記第３の画線ユニットが形成され、前記第１の方向に沿って前記第２の画線ユニットが左側、前記第１の画線ユニットが右側に配置される場合は、その間に前記第１の方向に沿って前記第４の画線ユニットが形成されたことを特徴とする。
【手続補正３】
【補正対象書類名】明細書
【補正対象項目名】００３０
【補正方法】変更
【補正の内容】
【００３０】
また、本発明の偽造防止印刷物は、中心から放射状に形成された第１の画線群と、前記第１の画線群の非画線部に第２の画線群によって可視画像が形成され、前記第２の画線群は前記中心から所定のピッチの同心円形状に配列され、前記第２の画線群は、判別具の介在による観察される不可視画像を形成し、前記第２の画線群は、前記不可視画像のネガ画像及びポジ画像のいずれか一方を形成する複数の第２の画線、他方を形成する複数の第３の画線及び濃度の不均衡を緩和する複数の第４の画線を含み、前記第２の画線の画線幅と前記第３の画像の画線幅が同一又は略同一であり、前記第４の画線は、前記第２の画線の画線幅又は前記第４の画線の画線幅における半分又は略半分の画線幅からなり、前記第２の画線、前記第３の画線及び前記第４の画線は、前記中心から放射線方向に沿って規則的に配列された複数のアーチ形の画線ユニット内に形成され、前記複数のアーチ型画線ユニットは、第１の画線ユニット、第２の画線ユニット、第３の画線ユニット及び第４の画線ユニットから成り、隣接する第１の画線ユニット及び第２の画線ユニットは同一の大きさであり、前記第３の画線ユニット及び前記第４の画線ユニットは、隣接する前記第１の画線ユニット及び前記第２の画線ユニットよりも大きく、さらに、前記第１の画線ユニット及び前記第２の画線ユニットに対して前記同心円方向の前記中心方向に伸びた形状の画線ユニットから成り、前記第１の画線ユニットは、前記第２の画線が前記同心円方向に所定の位置で形成され、前記第２の画線ユニットは、前記第３の画線が前記同心円方向に前記第２の画線が形成された位置に対して半ピッチ又は略半ピッチのずれを有する位置に配置され、前記第３の画線ユニットは、前記第２の画線、前記第４の画線及び前記第３の画線が外側から前記中心へ向かって前記同心円形状に順次形成され、前記第４の画線ユニットは、前記第３の画線及び前記第４の画線が外側から前記中心へ向かって前記同心円形状に順次形成され、  前記不可視画像の輪郭を示す位置において、前記中心に対し前記放射線方向に沿って前記第１の画線ユニットが外側、前記第２の画線ユニットが内側に配置される場合は、その間に放射線方向に沿って前記第３の画線ユニットが形成され、前記中心に対し前記放射線方向に沿って前記第２の画線ユニットが外側、前記第１の画線ユニットが内側に配置される場合は、その間に前記放射線方向に沿って前記第４の画線ユニットが形成されたことを特徴とする。
【国際調査報告】
2010038824.tif 000064
2010038824.tif 000065
2010038824.tif 000066
2010038824.tif 000067
2010038824.tif 000068